(57)【要約】【課題】本開示の実施形態は、発光モジュールおよび制御ユニットを含む光源装置を提供する。【解決手段】発光モジュールは、光を提供するように構成されている。制御ユニットは、光の概日作用因子（ＣＡＦ）および相関色温度（ＣＣＴ）が、太陽光のＣＡＦ対ＣＣＴ軌跡とは異なる光のＣＡＦ対ＣＣＴ軌跡に沿って変化するように、第１のサブ光および第２のサブ光の割合を変化させて光を生成するように構成されている。第１のサブ光および第２のサブ光の一方のＣＡＦ対ＣＣＴ座標は、太陽光のＣＡＦ対ＣＣＴ軌跡を下回り、第１のサブ光および第２のサブ光の他方のＣＡＦ対ＣＣＴ座標は、太陽光のＣＡＦ対ＣＣＴ軌跡を上回る。ディスプレイ装置もまた提供される。【選択図】図１５
2019009126.tif 000002
【特許請求の範囲】
【請求項１】
光源装置であって：
光を提供するように構成された発光モジュールと；
前記光の青色ハザードおよび概日刺激値の少なくとも１つが変化するように、前記光を第１の光と第２の光との間で切り替えるように構成された制御ユニットと、を備え、前記第１の光のスペクトルにおける青色光メインピークの波長が、前記第２の光のスペクトルにおける青色光メインピークの波長よりも大きい、光源装置。
【請求項２】
前記第１の光が、赤色サブ光、緑色サブ光、および第１の青色サブ光を含み、前記第２の光が、前記赤色サブ光、前記緑色サブ光、および第２の青色サブ光を含み、前記第１の青色サブ光のスペクトルにおけるメインピークの波長が、前記第２の青色サブ光のスペクトルにおけるメインピークの波長よりも大きく、前記制御ユニットが、前記第１の光および前記第２の光の青色光ハザード、概日刺激値、および演色評価値（ＣＲＩ）の少なくとも１つが変化するように、前記赤色サブ光、前記緑色サブ光、前記第１の青色サブ光の割合を変化させ、かつ前記赤色サブ光、前記緑色サブ光、前記第２の青色サブ光の割合を変化させるように構成されている、請求項１に記載の光源装置。
【請求項３】
前記第１の光の前記概日刺激値が、同じｘおよびｙ色度座標かつ同じ強度で、前記第２の光の前記概日刺激値よりも大きい、請求項１または２に記載の光源装置。
【請求項４】
前記第１の光の前記ＣＲＩが、同じ青色光ハザードで、前記第２の光の前記ＣＲＩよりも大きい、請求項１〜３のいずれか一項に記載の光源装置。
【請求項５】
前記第１の光の前記青色光ハザードが、同じ概日刺激値で、前記第２の光の前記青色光ハザードよりも小さい、請求項１〜４のいずれか一項に記載の光源装置。
【請求項６】
光源装置であって：
第１の光を提供するように構成された第１の光源を備え、前記第１の光の概日作用因子（ＣＡＦ）対相関色温度（ＣＣＴ）座標（ＣＣＴ，ＣＡＦ）が、６つのＣＡＦ対ＣＣＴ座標（２７００±１００Ｋ，０．１９７）、（２７００±１００Ｋ，０．６９６）、（４５００±２００Ｋ，０．４７４）、（４５００±２００Ｋ，１．３４８）、（６５００±３００Ｋ，０．７５９）、および（６５００±３００Ｋ，１．６０４）を頂点として形成される第１の領域内にある、光源装置。
【請求項７】
前記第１の光の演色評価値（ＣＲＩ）が６０超であり、前記第１の光のＣＡＦ対ＣＣＴ座標（ＣＣＴ，ＣＡＦ）が、４つのＣＡＦ対ＣＣＴ座標（２７００±１００Ｋ，０．６９６）、（２７００±１００Ｋ，０．１９７）、（６５００±３００Ｋ，０．７５９）、および（６５００±３００Ｋ，１．２２９）を頂点として形成される第２の領域内にある、請求項６に記載の光源装置。
【請求項８】
第２の光を提供するように構成された第２の光源をさらに備え、前記第２の光のＣＡＦ対ＣＣＴ座標（ＣＣＴ，ＣＡＦ）が、前記第１の領域内にありかつ前記第１の光のそれとは異なる、請求項６または７に記載の光源装置。
【請求項９】
前記第１の光および前記第２の光を合成して第３の光を出力するように、前記第１の光源および前記第２の光源を制御するように構成された制御ユニットをさらに備える、請求項８に記載の光源装置。
【請求項１０】
前記第３の光のＣＡＦ対ＣＣＴ座標（ＣＣＴ，ＣＡＦ）が、太陽光のＣＡＦ対ＣＣＴ軌跡を下回る、請求項９に記載の光源装置。
【請求項１１】
前記第３の光のＣＡＦ対ＣＣＴ座標（ＣＣＴ，ＣＡＦ）が、太陽光のＣＡＦ対ＣＣＴ軌跡を上回る、請求項９に記載の光源装置。
【請求項１２】
前記第３の光のＣＡＦ対ＣＣＴ座標（ＣＣＴ，ＣＡＦ）が、太陽光のＣＡＦ対ＣＣＴ軌跡上にある、請求項９に記載の光源装置。
【請求項１３】
前記第１の光および前記第２の光の一方のＣＡＦ対ＣＣＴ座標（ＣＣＴ，ＣＡＦ）が太陽光のＣＡＦ対ＣＣＴ軌跡を下回り、前記第１の光および前記第２の光の他方のＣＡＦ対ＣＣＴ座標（ＣＣＴ，ＣＡＦ）が前記太陽光のＣＡＦ対ＣＣＴ軌跡を上回る、請求項８〜１２のいずれか一項に記載の光源装置。
【請求項１４】
前記第１の光の演色評価値（ＣＲＩ）が８０超であり、前記第１の光のＣＡＦ対ＣＣＴ座標（ＣＣＴ，ＣＡＦ）が、６つのＣＡＦ対ＣＣＴ座標（２７００±１００Ｋ，０．２４２）、（２７００±１００Ｋ，０．５３４）、（４５００±２００ Ｋ，０．５８０）、（４５００±２００Ｋ，０．８４１）、（６５００±３００Ｋ，０．７８８）、および（６５００±３００Ｋ，１．０６０）を頂点として形成される第３の領域内にある、請求項６〜１３のいずれか一項に記載の光源装置。
【請求項１５】
光源装置であって：
光を提供するように構成された発光モジュールと；
前記光の概日作用因子（ＣＡＦ）および相関色温度（ＣＣＴ）が、太陽光のＣＡＦ対ＣＣＴ軌跡とは異なる前記光のＣＡＦ対ＣＣＴ軌跡に沿って変化するように、第１のサブ光および第２のサブ光の割合を変化させて前記光を生成するように構成された制御ユニットと、を備え、前記第１のサブ光および前記第２のサブ光の一方のＣＡＦ対ＣＣＴ座標が前記太陽光のＣＡＦ対ＣＣＴ軌跡を下回り、前記第１のサブ光および前記第２のサブ光の他方のＣＡＦ対ＣＣＴ座標が前記太陽光のＣＡＦ対ＣＣＴ規制を上回る、光源装置。
【請求項１６】
前記制御ユニットは、前記光のＣＡＦ対ＣＣＴ座標が、前記第１のサブ光、前記第２のサブ光、第３のサブ光、および第４のサブ光のＣＡＦ対ＣＣＴ座標にそれぞれ位置する４つの頂点を有する領域内で変化するように、前記第１のサブ光、前記第２のサブ光、前記第３のサブ光、および前記第４のサブ光の割合を変化させて前記光を生成するように構成されている、請求項１５に記載の光源装置。
【請求項１７】
前記第１のサブ光のＣＣＴが、前記第２のサブ光のそれよりも小さくかつ前記第４のサブ港のそれよりも小さく、前記第３のサブ光のＣＣＴが、前記第２のサブ光のそれよりも小さくかつ前記第４のサブ光のそれよりも小さく、前記第１のサブ光および前記第３のサブ光のＣＡＦ対ＣＣＴ座標がそれぞれ、前記太陽光のＣＡＦ対ＣＣＴ軌跡の一方側と他方側にあり、前記第２のサブ光および前記第４のサブ光のＣＡＦ対ＣＣＴ座標がそれぞれ、前記太陽光のＣＡＦ対ＣＣＴ軌跡の一方側と他方側にある、請求項１６に記載の光源装置。
【請求項１８】
前記第１のサブ光および前記第２のサブ光が白色光である、請求項１５〜１７のいずれか一項に記載の光源装置。
【請求項１９】
光源装置であって：
第１の光を提供するように構成された第１の光源を備え、前記第１の光の概日作用因子（ＣＡＦ）対相関色温度（ＣＣＴ）の座標（ＣＣＴ，ＣＡＦ）が、上方境界、下方境界、および前記上方境界および前記下方境界の間のＣＡＦ対ＣＣＴ座標を有する領域内にあり、ＣＡＦ対ＣＣＴ座標（２７００±１００Ｋ，０．６９６）、（４５００±２００Ｋ，１．３４８）、および（６５００±３００Ｋ，１．６０４）が上方境界上にあり、ＣＡＦ対ＣＣＴ座標（２７００±１００ Ｋ，０．１９７）、（４５００±２００Ｋ，０．４７４）、および（６５００±３００Ｋ，０．７５９）が下方境界上にある、光源装置。
【請求項２０】
前記上方境界の各々および前記下方境界の各々が二次関数である、請求項１９に記載の光源装置。
【請求項２１】
第２の光を提供するように構成された第２の光源をさらに備え、前記第２の光のＣＡＦ対ＣＣＴ座標（ＣＣＴ，ＣＡＦ）が、前記領域内にありかつ前記第１の光のそれとは異なる、請求項１９または２０に記載の光源装置。
【請求項２２】
光源装置であって：
光を提供するように構成された発光モジュールと；
前記発光モジュールから射出される前記光を、複数種類の第１の光の間で切り替える制御ユニットを備え、前記複数種類の第１の光の相関色温度が相互に異なり、前記複数種類の第１の光の概日刺激値が実質的に相互に同じである、光源装置。
【請求項２３】
前記複数種類の第１の光のＤｕｖ値が０．００５未満である、請求項２２に記載の光源装置。
【請求項２４】
前記制御ユニットがまた、前記発光モジュールから射出される前記光を複数種類の第２の光の間で切り替え、前記複数種類の第２の光の相関色温度が実質的に相互に同じであり、前記複数種類の第２の光の演色評価値または概日刺激値が相互に異なる、請求項２２または２３に記載の光源装置。
【請求項２５】
前記複数種類の第２の光のＤｕｖ値が０．００５未満である、請求項２４に記載の光源装置。
【請求項２６】
前記制御ユニットがまた、前記発光モジュールから射出される前記光を複数種類の第３の光の間で切り替え、前記複数種類の第３の光の概日刺激値が、相関色温度範囲内において、太陽光の概日刺激値をカバーするか、または、太陽光の概日刺激値と実質的に同じである、請求項２２〜２５のいずれか一項に記載の光源装置。
【発明の詳細な説明】
【技術分野】
【０００１】
本開示は、一般に、光源装置に関する。
【背景技術】
【０００２】
電球を発明したトーマス・アルバ・エジソンによれば、電力により生成される光源は、夜を照らし人類の文明も照らす、という。この種の人工光源によって、人間は夜の時間を利用することができ、これが科学、技術、教育の発展につながった。光源が概日刺激（ＣＳ）に及ぼす影響についての研究分野においては、安河内氏が、夜間に高い色温度を有する光源は、低い色温度を有する光源よりもメラトニンの分泌をより抑制できることを発見した。つぎに、２００１年より、Ｂｒａｉｎａｒｄは、光源とメラトニン分泌と生物学的影響との関係をさらに明らかにするために、人間の目と生物学的作用との関係を研究した。この関係は、図１の、「光源と対応する概日刺激との関係曲線」（２００１年、人間の目におけるメラトニン調節のための作用スペクトル：新規な概日光受容体の証拠）により表される。さらなる研究では、光源の異なる波長（４００ｎｍ〜５５０ｎｍ）が概日刺激に対して異なる影響を有することが指摘されている。したがって、適切な人口照明源を提供するには、人間の概日刺激に対する光源の影響の程度を判断することにより、夜間または昼間に使用される光源を、それぞれ異なる適切なスペクトル構成を有する異なるものとしなければならない。
【発明の概要】
【発明が解決しようとする課題】
【０００３】
本開示は、より多くの用途を有する光源装置を提供する。
【課題を解決するための手段】
【０００４】
本開示の一実施形態は、発光モジュールと制御ユニットとを含む、光源装置を提供する。発光モジュールは、光を提供するように構成されている。制御ユニットは、発光モジュールから射出された光を、第１の光と第２の光との間で切り替える。第１の光のスペクトルは第２の光のスペクトルとは異なり、第１の光および第２の光の色温度は実質的に相互に同じである。
【０００５】
本開示の一実施形態は、発光モジュールと制御ユニットとを含む、光源装置を提供する。発光モジュールは、光を提供するように構成されている。制御ユニットは、発光モジュールから射出された光を、複数種類の第１の光の間で切り替える。複数種類の第１の光の相関色温度は相互に異なり、複数種類の第１の光の概日刺激値は実質的に相互に同じである。
【０００６】
本開示の一実施形態は、発光モジュールと制御ユニットとを含む、光源装置を提供する。発光モジュールは、光を提供するように構成されている。制御ユニットは、光の概日作用因子（ＣＡＦ）および相関色温度（ＣＣＴ）が、太陽光のＣＡＦ対ＣＣＴ軌跡とは異なる光のＣＡＦ対ＣＣＴ軌跡に沿って変化するように、第１のサブ光と第２のサブ光との割合を変化させて光を生成するように構成されている。第１のサブ光および第２のサブ光の一方のＣＡＦ対ＣＣＴ座標は、太陽光のＣＡＦ対ＣＣＴ軌跡を下回り、第１のサブ光および第２のサブ光の他方のＣＡＦ対ＣＣＴ座標は、太陽光のＣＡＦ対ＣＣＴ軌跡を上回る。
【０００７】
本開示の一実施形態は、発光モジュールと制御ユニットとを含む、光源装置を提供する。発光モジュールは、光を提供するように構成されている。制御ユニットは、光の青色光ハザードおよび概日刺激値の少なくとも１つが変化するように、光を第１の光と第２の光との間で切り替えるように構成されている。第１の光のスペクトルにおける青色光メインピークの波長は、第２の光のスペクトルにおける青色光メインピークの波長よりも大きい。
【０００８】
本開示の一実施形態は、発光モジュールと制御ユニットとを含む、光源装置を提供する。発光モジュールは、赤色サブ光と、緑色サブ光と、青色サブ光とを含む光を提供するように構成されている。制御ユニットは、異なる白色光を生成するように、赤色サブ光と、緑色サブ光と、青色サブ光との割合を変化させるように構成されている。青色サブ光のスペクトルにおけるメインピークの波長は、４６０ナノメータ〜４８０ナノメータの範囲内である。
【０００９】
本開示の一実施形態は、発光モジュールと制御ユニットとを含む、光源装置を提供する。発光モジュールは、赤色サブ光と、緑色サブ光と、青色サブ光とを含む光を提供するように構成されている。制御ユニットは、異なる白色光を形成するために、赤色サブ光と、緑色サブ光と、青色サブ光との割合を変化させるよう構成されている。青色サブ光のスペクトルにおけるメインピークの波長は、４４０ナノメータ〜４５０ナノメータの範囲内である。
【００１０】
本開示の一実施形態は、発光モジュールと制御ユニットとを含む、光源装置を提供する。発光モジュールは、光を提供するように構成されている。制御ユニットは、光の相関色温度（ＣＣＴ）および青色光ハザードが変化するように、第１のサブ光と第２のサブ光との割合を変化させて光を生成するように構成されている。光の青色光ハザードは、同じＣＣＴで可変であり、第１のサブ光のＣＣＴは、第２のサブ光のＣＣＴより小さい。
【００１１】
本開示の一実施形態は、第１の光源と、第２の光源と、制御ユニットとを含む、光源装置を提供する。第１の光源は、第１のスペクトル分布を有する第１の光を生成するためのものであり、第１の光は、色度図において第１の色座標を有する。第２の光源は、第２のスペクトル分布を有する第２の光を生成するためのものであり、第２の光は、色度図において第２の色座標を有する。第２のスペクトル分布は、第１のスペクトル分布とは異なる。制御ユニットは、第１の光源および第２の光源を駆動するためのものであり、光源装置は、第１の色座標が第２の色座標に実質的に対応するように設計されている。
【００１２】
本開示の一実施形態は、第１の光源と、第２の光源と、制御ユニットとを含む、光源装置を提供する。制御ユニットは、第１の光源および第２の光源を制御するように構成されている。第１の光源は、相関色温度が２５００Ｋ〜３０００Ｋでありかつ演色評価値（ＣＲＩ）が９０超である第１の光を提供するように構成されている。第２の光源は、第２の光を提供するように構成されており、第１の光のＣＲＩは、第２の光のＣＲＩよりも大きい。
【００１３】
本開示の一実施形態は、第１の発光ダイオード（ＬＥＤ）光源と、第２のＬＥＤ光源とを含む、光源装置を提供する。第１のＬＥＤ光源および第２のＬＥＤ光源は、第１の動作モードで動作して第１の光を射出し、第２の動作モードで動作して第２の光を射出するように構成されている。第１の光および第２の光は、目標とする相関色温度の同じマクアダム楕円内にあり、第１の光の概日刺激値は、第２の光の概日刺激値よりも、第２の光の概日刺激値の５％を超えて大きい。第１のＬＥＤ光源および第２のＬＥＤ光源の少なくとも１つは、少なくとも１つの蛍光物質の放出を刺激するように構成された、少なくとも１つのＬＥＤを含む。
【００１４】
本開示の一実施形態は、ディスプレイとバックライトデバイスとを含む、ディスプレイ装置を提供する。バックライトデバイスは、ディスプレイを照らすように構成されており、第１の発光ダイオード（ＬＥＤ）光源と、第２のＬＥＤ光源とを含む。第１のＬＥＤ光源および第２のＬＥＤ光源は、第１の動作モードで動作して第１の光を射出し、第２の動作モードで動作して第２の光を射出するように構成されている。第１の光および第２の光は、目標とする相関色温度の同じマクアダム楕円内にあり、第１の光の概日刺激値は、第２の光の概日刺激値よりも、第２の光の概日刺激値の５％を超えて大きい。
【００１５】
本開示の一実施形態は、第１の光を提供するように構成された第１の光源を含む、光源装置を提供する。第１の光の概日作用因子（ＣＡＦ）対相関色温度（ＣＣＴ）の座標（ＣＣＴ，ＣＡＦ）は、６つのＣＡＦ対ＣＣＴ座標（２７００±１００Ｋ，０．１９７）、（２７００±１００Ｋ，０．６９６）、（４５００±２００Ｋ，０．４７４）、（４５００±２００Ｋ，１．３４８）、（６５００±３００Ｋ，０．７５９）、および（６５００±３００Ｋ，１．６０４）を頂点として形成される第１の領域内にある。
【００１６】
本開示の一実施形態は、第１の光を提供するように構成された第１の光源を含む、光源装置を提供する。第１の光の概日作用因子（ＣＡＦ）対相関色温度（ＣＣＴ）の座標（ＣＣＴ，ＣＡＦ）は、上方境界、下方境界および上方境界と下方境界との間のＣＡＦ対ＣＣＴ座標を有する領域内にある。ＣＡＦ対ＣＣＴ座標（２７００±１００Ｋ，０．６９６）、（４５００±２００Ｋ，１．３４８）および（６５００±３００Ｋ，１．６０４）は、上方境界上にある。ＣＡＦ対ＣＣＴ座標（２７００±１００Ｋ，０．１９７）、（４５００±２００Ｋ，０．４７４）および（６５００±３００Ｋ，０．７５９）は、下方境界上にある。
【発明の効果】
【００１７】
以上より、本開示の実施形態における光源装置は、制御ユニットを用いて同じ色温度および異なるＣＳ／Ｐ値を有する光を提供する発光モジュールを制御することができる。発光モジュールは、複数組の発光ユニットを介して、複数組の色温度を有する光を提供することができ、同じ色温度を有する各組の光は、異なるＣＳ／Ｐ値を有する異なる光に切り替えることができる。さらに、本開示の実施形態における光源装置は、制御ユニットを介して発光モジュールを制御することにより、ＣＳ／Ｐ値が５％を超えて異なる光を提供することができ、ここでは、光が全く異なる色温度を有することや、光の一部が同じ色温度を有することができる。このように、光源装置は、ユーザの自然な概日リズムを維持しながら十分な光源を提供するために、実際の適用環境、時間および目的に応じて、異なるＣＳ／Ｐ値を有する光源を選択することができる。本開示の光源装置は、ディスプレイの照明デバイスまたはバックライトデバイスとして機能し得るが、本開示はこれに限定されない。
【００１８】
また、この実施形態に従う光源装置では、第１の光および第２の光の色温度が実質的に相互に同じであり、第１の光および第２の光のスペクトルが異なるため、複数の光源装置または発光モジュールが同じ展示スペースに設置され、それぞれが第１の光および第２の光を射出した場合に、光源装置または発光モジュールの光色は均一でありながら、第１の光および第２の光はそれぞれ異なる機能を達成することができる。
【００１９】
さらに、この実施形態に従う光源装置では、複数種類の第１の光の相関色温度が相互に異なり、該複数種類の第１の光の概日作用因子が実質的に相互に同じであるため、光源装置はより多くの用途を有することができる。
【００２０】
また、この実施形態に従う光源装置では、第１のサブ光と第２のサブ光との割合を変化させて、光のＣＡＦおよびＣＣＴが、太陽光のＣＡＦ対ＣＣＴの軌跡とは異なる光のＣＡＦ対ＣＣＴの軌跡に沿って変化するようにすることができる。したがって、この光源装置は、より多くの用途を有することができる。この実施形態に従う光源装置では、光の青色光ハザードおよびＣＡＦの少なくとも一方が変化するように、光を第１の光と第２の光との間で切り替えられる。したがって、この光源装置は、より多くの用途を有することができる。この実施形態に従う光源装置では、第１のサブ光および第２のサブ光の割合を変化させて、光のＣＣＴや青色光ハザードを変化させてもよい。光の青色光ハザードが同一のＣＣＴにて可変であるため、ユーザは必要に応じて適切な青色光ハザードを選択することができる。
【００２１】
さらに、この実施形態に従う光源装置では、第１の光源から射出される第１の光のＣＡＦ対ＣＣＴ座標が、ＣＡＦ対ＣＣＴグラフの領域内の任意の位置にあってもよいため、この実施形態に従う光源装置は、様々な使用要件を満たすことができる。
【００２２】
いくつかの例示的な実施形態を、添付の図面を参照しながら以下に詳細に説明する。
【００２３】
添付の図面は、本開示の理解を助ける目的で含まれるものであり、本明細書に組み込まれてその一部を構成する。添付の図面は、本開示の例示的な実施形態を示しており、本明細書とともに、本開示の原理を説明するために提供されるものである。
【図面の簡単な説明】
【００２４】
【図１】光源と、対応するＣＳ／Ｐとの関係曲線を示す図である。
【図２Ａ】本開示の一実施形態における光源装置を示す概略図である。
【図２Ｂ】図２Ａの実施形態における光源装置の変形例を示す概略図である。
【図２Ｃ】図２Ｂの実施形態における光源装置から射出された光に従う相対光強度および光波長を示すスペクトル図である。
【図２Ｄ】図２Ｂの実施形態における光源装置の異なる期間における異なる照明モードを示すタイミング図である。
【図２Ｅ】図２Ａの光源装置のブロック図である。
【図３】アメリカ規格協会（ＡＮＳＩ）によって定義された同じ色温度の色空間コーディネートパターンを示す図である。
【図４Ａ】本開示の他の実施形態における光源装置の概略図である。
【図４Ｂ】図４Ａの実施形態における第１の光のスペクトル曲線を示す図である。
【図４Ｃ】図４Ａの実施形態における第２の光のスペクトル曲線を示す図である。
【図４Ｄ】図４Ａの実施形態における光源装置の異なる期間における異なる照明モードを示すタイミング図である。
【図５Ａ】本開示のさらに他の実施形態における光源装置の概略図である。
【図５Ｂ】図５Ａの実施形態における第１の光のスペクトル曲線を示す図である。
【図５Ｃ】図５Ａの実施形態における第２の光のスペクトル曲線を示す図である。
【図５Ｄ】図５Ａの実施形態における光源装置の異なる期間における異なる照明モードを示すタイミング図である。
【図６Ａ】本開示のさらに他の実施形態における光源装置の概略図である。
【図６Ｂ】ある色温度条件下で光源装置５００により提供される光のスペクトル曲線を示す図である。
【図６Ｃ】ある色温度条件下で光源装置５００により提供される光のスペクトル曲線を示す図である。
【図６Ｄ】ある色温度条件下で光源装置５００により提供される光のスペクトル曲線を示す図である。
【図６Ｅ】ある色温度条件下で光源装置５００により提供される光のスペクトル曲線を示す図である。
【図６Ｆ】ある色温度条件下で光源装置５００により提供される光のスペクトル曲線を示す図である。
【図６Ｇ】ある色温度条件下で光源装置５００により提供される光のスペクトル曲線を示す図である。
【図６Ｈ】ある色温度条件下で光源装置５００により提供される光のスペクトル曲線を示す図である。
【図６Ｉ】ある色温度条件下で光源装置５００により提供される光のスペクトル曲線を示す図である。
【図６Ｊ】図６Ａの実施形態における光源装置の異なる期間における異なる照明モードを示すタイミング図である。
【図７】本開示の他の実施形態における光源装置の概略図である。
【図８Ａ】図７の第１の照射モードにおける、第１の光のスペクトルおよび発光ユニットからそれぞれ射出された光のスペクトルを示す図である。
【図８Ｂ】図７の第２の照射モードにおける、第２の光のスペクトルおよび発光ユニットからそれぞれ射出された光のスペクトルを示す図である。
【図９】図７の第１の光および第２の光のＣＩＥ１９７６ｕ’−ｖ’図における色座標を示す図である。
【図１０】本開示の他の実施形態における光源装置の概略図である。
【図１１Ａ】図１０の第１の照射モードにおける、第１の光のスペクトルおよび発光ユニットからそれぞれ射出された光のスペクトルを示す図である。
【図１１Ｂ】図１０の第２の照射モードにおける、第２の光のスペクトルおよび発光ユニットからそれぞれ射出された光のスペクトルを示す図である。
【図１２】図１０の第１の光および第２の光のＣＩＥ１９７６ｕ’−ｖ’図における色座標を示す図である。
【図１３Ａ】本開示の他の実施形態に従う、図１０の第１の照射モードにおける、第１の光のスペクトルおよび発光ユニットからそれぞれ射出された光のスペクトルを示す図である。
【図１３Ｂ】本開示の他の実施形態に従う、図１０の第２の照射モードにおける、第２の光のスペクトルおよび発光ユニットからそれぞれ射出された光のスペクトルを示す図である。
【図１４】本開示の他の実施形態に従う、図１０の第２の光および第２の光のＣＩＥ１９７６ｕ’−ｖ’図における色座標を示す図である。
【図１５】本開示の他の実施形態における光源装置の概略図である。
【図１６Ａ】図１５における発光体から射出されたサブ光のスペクトルを示す図である。
【図１６Ｂ】図１５の発光モジュールから射出された光の概日作用因子（ＣＡＦ）対相関色温度を示すグラフである。
【図１６Ｃ】図１５の発光モジュールから射出された光の演色評価値対相関色温度を示すグラフである。
【図１６Ｄ】太陽光の概日作用因子対相対色温度を示すグラフである。
【図１７】本開示の他の実施形態における光源装置の概略図である。
【図１８Ａ】図１７の発光体から射出されたサブ光のスペクトルを示す図である。
【図１８Ｂ】図１７の発光モジュールから射出された光の概日作用因子対相関色温度を示すグラフである。
【図１８Ｃ】図１７の発光モジュールから射出された光の演色評価値対相関色温度を示すグラフである。
【図１９Ａ】図１７の発光モジュールから射出された光のＣＲＩが８０超である場合における、該光の概日作用因子対相関色温度を示すグラフである。
【図１９Ｂ】図１７の発光モジュールから射出された光のＣＲＩが９０超である場合における、該光の概日作用因子対相関色温度を示すグラフである。
【図１９Ｃ】図１７の発光モジュールから射出された光のＣＲＩが９３超である場合における、該光の概日作用因子対相関色温度を示すグラフである。
【図１９Ｄ】図１７の発光モジュールから射出された光のＣＲＩが９５超である場合における、該光の概日作用因子対相関色温度を示すグラフである。
【図２０】本開示の他の実施形態における光源装置の概略図である。
【図２１Ａ】図２０の光源体により射出されたサブ光のスペクトルを示す図である。
【図２１Ｂ】図２０の発光モジュールから射出された光の概日作用因子対相関色温度を示すグラフである。
【図２１Ｃ】図２０の発光モジュールから射出された光の演色評価値対相関色温度を示すグラフである。
【図２２Ａ】図２０の発光モジュールから射出された光の相関色温度が８０超である場合における、該光の概日作用因子対相関色温度を示すグラフである。
【図２２Ｂ】図２０の発光モジュールから射出された光の相関色温度が９０超である場合における、該光の概日作用因子対相関色温度を示すグラフである。
【図２３】本開示の他の実施形態における光源装置の概略図を示す図である。
【図２４Ａ】ある実施形態において、図２３の光源体により射出されたサブ光のスペクトルを示す図である。
【図２４Ｂ】ある実施形態において、図２３の光源体により射出されたサブ光のスペクトルを示す図である。
【図２４Ｃ】ある実施形態において、図２３の光源体により射出されたサブ光のスペクトルを示す図である。
【図２４Ｄ】ある実施形態において、図２３の光源体により射出されたサブ光のスペクトルを示す図である。
【図２５Ａ】図２３の発光モジュールから射出された光のＣＡＦ対ＣＣＴを示すグラフである。
【図２５Ｂ】太陽光のＣＡＦ対ＣＣＴを示すグラフである。
【図２６】本開示の他の実施形態における光源装置の概略図である。
【図２７Ａ】ある実施形態において、図２６の発光体により射出されたサブ光のスペクトルを示す図である。
【図２７Ｂ】ある実施形態において、図２６の発光体により射出されたサブ光のスペクトルを示す図である。
【図２８Ａ】図２６の発光モジュールから射出された光のＣＡＦ対ＣＣＴを示すグラフである。
【図２８Ｂ】太陽光から射出された光のＣＡＦ対ＣＣＴを示すグラフである。
【図２９】本開示の他の実施形態における光源装置の概略図である。
【図３０】図２９の発光体により射出されたサブ光のスペクトルを示す図である。
【図３１】図２９の発光モジュールから射出された光および太陽光のＣＡＦ対ＣＣＴを示すグラフである
【図３２】他の実施形態において、図２３の発光体により射出されたサブ光のスペクトルを示す図である。
【図３３】図３２の実施形態における発光モジュールから射出された光のＣＲＩ対ＣＣＴを示すグラフである。
【図３４Ａ】図３２の実施形態における発光モジュールから射出された光の、ＣＣＴが５０００Ｋ超である場合の青色光ハザード対ＣＣＴを示すグラフである。
【図３４Ｂ】図３２の実施形態における発光モジュールから射出された光の、ＣＣＴが５０００Ｋ超である場合の青色光ハザード対ＣＲＩを示すグラフである。
【図３５】本開示の他の実施形態における光源装置の概略図である。
【図３６Ａ】図３５の発光体Ｅ１ｆ、Ｅ２ｆおよびＥ３ｆにより射出された赤色サブ光Ｖ１ｆ、緑色サブ光Ｖ２ｆおよび第１の青色サブ光Ｖ３ｆのスペクトルを示す図である。
【図３６Ｂ】図３５の発光体Ｅ１ｆ、Ｅ２ｆおよびＥ４ｆにより射出された赤色サブ光Ｖ１ｆ、緑色サブ光Ｖ２ｆおよび第２の青色サブ光Ｖ４ｆのスペクトルを示す図である。
【図３７Ａ】図３５の発光体Ｅ１ｆ、Ｅ２ｆおよびＥ３ｆ、並びに、Ｅ１ｆ、Ｅ２ｆおよびＥ４ｆによりそれぞれ射出された第１の光ＶＢ１ｆおよび第２の光ＶＢ２ｆのＣＡＦ対ｘ色度座標を示すグラフである。
【図３７Ｂ】図３５の発光体Ｅ１ｆ、Ｅ２ｆおよびＥ３ｆ、並びに、Ｅ１ｆ、Ｅ２ｆおよびＥ４ｆによりそれぞれ射出された第１の光ＶＢ１ｆおよび第２の光ＶＢ２ｆのＣＡＦ対ｙ色度座標を示すグラフである。
【図３８Ａ】図３５の発光体Ｅ１ｆ、Ｅ２ｆおよびＥ３ｆ、並びに、Ｅ１ｆ、Ｅ２ｆおよびＥ４ｆによりそれぞれ射出された第１の光ＶＢ１ｆおよび第２の光ＶＢ２ｆの青色光ハザード対ＣＲＩを示すグラフである。
【図３８Ｂ】図３５の発光体Ｅ１ｆ、Ｅ２ｆおよびＥ３ｆ、並びに、Ｅ１ｆ、Ｅ２ｆおよびＥ４ｆによりそれぞれ射出された第１の光ＶＢ１ｆおよび第２の光ＶＢ２ｆの青色光ハザード対ＣＡＦを示すグラフである。
【図３９】本開示の一実施形態に従うディスプレイ装置の概略図である。
【図４０】本開示の他の実施形態における光源装置の概略図である。
【図４１Ａ】図４０の第１の光源のサブ光源により提供されるサブ光および太陽光のＣＡＦ隊ＣＣＴを示すグラフである。
【図４１Ｂ】図４０のサブ光源により射出されたサブ光のスペクトルを示す図である。
【図４１Ｃ】図４０のサブ光源における蛍光体Ｉ、蛍光体ＩＩ、蛍光体ＩＩＩおよび蛍光体ＩＶのスペクトルを示す図である。
【図４１Ｄ】図４０のサブ光源におけるピーク波長が４４３ｎｍ、４５８ｎｍおよび４６１ｎである青色ＬＥＤチップのスペクトルを示す図である。
【図４２】本開示の他の実施形態に従う光源装置における第１の光源のサブ光源により提供されるサブ光および太陽光のＣＡＦ対ＣＣＴを示すグラフである。
【図４３】本開示の他の実施形態に従う光源装置における第１の光源のサブ光源により提供されるサブ光および太陽光のＣＡＦ対ＣＣＴを示すグラフである。
【図４４】本開示の他の実施形態に従う光源装置における第１の光源により提供される第１の光の上側境界および下限境界、並びに、太陽光のＣＡＦ対ＣＣＴを示すグラフである。
【図４５】本開示の他の実施形態に従う光源装置における第１の光源のサブ光源により提供されるサブ光および太陽光のＣＡＦ対ＣＣＴを示すグラフである。
【図４６】本開示の他の実施形態に従う光源装置における第２の光源のサブ光源により提供されるサブ光および太陽光のＣＡＦ対ＣＣＴを示すグラフである。
【発明を実施するための形態】
【００２５】
図２Ａは、本開示の一実施形態における光源装置の概略図であり、図２Ｂは、図２Ａの実施形態における光源装置の変形例を示す概略図であり、図２Ｃは、図２Ｂの実施形態における光源装置に従う相対光強度および光波長を示すスペクトル図である。図２Ａ〜２Ｃを参照すると、この実施形態では、光源装置１００が、発光モジュール１１０と制御ユニット１２０とを含む。発光モジュール１１０は光Ｂを提供するが、この実施形態において、光Ｂは、発光モジュール１１０から射出された光を意味し、発散角を有していてもよく、特定の伝達方向に限定されない光である。制御ユニット１２０は、発光モジュール１１０から射出される光Ｂを、第１の光Ｌ１と第２の光Ｌ２との間で切り替えるためのものであり、第２の光Ｌ２の測光上のＣＳ／Ｐ値は、第１の光Ｌ１のＣＳ／Ｐ値より小さく、第１の光Ｌ１および第２の光Ｌ２の色温度は、実質的に相互に同じである。したがって、光源装置１００は、ユーザの自然な概日リズムを維持しながら十分な光源を提供するために、光の色温度の変化をユーザに容易に気付かせることなく、実際の適用環境、時間および目的に応じて、選択により、ＣＳ／Ｐ値が高い第１の光Ｌ１またはＣＳ／Ｐ値が低い第２の光Ｌ２を提供することができる。
【００２６】
より具体的に、この実施形態において、ＣＳ／Ｐ値の定義は下記式により表される。
【数１】
2019009126.tif 000003
ＣＳ（λ）は人間の概日関数を、Ｐ（λ）は人間の名順応関数を、Ｐ０λは光合成終了後のスペクトルを、ＣＳは光合成終了後のスペクトルのＣＳ／Ｐ値を、Ｐは光合成終了後のスペクトルの光強度を表し、Ｐ（λ）は、国際照明委員会（ＣＩＥ）により定義され；人間の概日関数ＣＳ（λ）については、図１に示すような、Ｂｒａｉｎａｒｄ教授により紹介された「ａｃｔｉｏｎ  ｓｐｅｃｔｒｕｍ（１９９７年）」、Ｍａｒｋ  Ｒｅａにより紹介された「ｈｕｍａｎ  ｉｎｖｉｓｉｂｌｅ  ｃｉｒｃａｄｉａｎ  ｆｕｎｃｔｉｏｎ（２００５年）」およびＧｅｒｍａｎ  ｐｒｅ−ｓｔａｎｄａｒｄ，ＤＩＮ  Ｖに記載されている概日関数を参照することができる。本開示の光源装置１００は、様々な概日関数に好適であり得る。図３は、アメリカ規格協会（ＡＮＳＩ）によって定義された同じ色温度の色空間コーディネートパターンを示す図である。図３を参照すると、この実施形態では、「同じ色温度」がＡＮＳＩに従って定義されている。換言すれば、ＡＮＳＩ規格に準拠して設計された同じ色温度を有する光源の場合、光源の色差を人間の目で識別するのは困難である。ＡＮＳＩにより定義される図３の色空間コーディネートパターンに対応する具体的なコーディネートを、以下の表１に記載する。
【００２７】
【表１】
2019009126.tif 000004
【００２８】
表１のデータ範囲は、計算により、図３における公差の四辺形で表される色温度範囲Ｓ１〜Ｓ８に対応し得る。例えば、図３における公差の四辺形の色温度範囲Ｓ１内のＣＳ／Ｐ値は、人間の目に非常に近く、残りの部分に類似している。より具体的には、表１の公差の四辺形は、表２に示すように、色温度範囲として計算することができる。
【００２９】
【表２】
2019009126.tif 000005
【００３０】
図２のデータ範囲は、計算により、図３における楕円色温度範囲ｅ１〜ｅ８に対応し得る。より具体的には、これらの楕円色温度範囲ｅ１〜ｅ８は、マクアダム楕円（Ｄａｖｉｄ  ＭａｃＡｄａｍ  ｅｌｌｉｐｓｅｓ）である。例えば、楕円色温度範囲ｅ１内の色温度座標は、人間の目に非常に近く、残りの部分に類似している。表１および表２の座標データは、実施形態における色温度が実質的に同じであることを示すための例示にすぎないことに留意されたい。実際の座標データは、ＡＮＳＩの最新の定義を参照するべきであるが、本開示はこれに限定されない。他の実施形態において、「色温度が実質的に同じである」ということは、色温度が同じ楕円色温度範囲内にあることを意味する。このように、光源装置１００は、光の色温度の変化をユーザに容易に気付かせることなく、実際の適用環境、時間および目的に応じて異なるＣＳ／Ｐ値を有する光を選択することができるため、ユーザの概日リズムを維持しながら十分な光源を提供することができる。
【００３１】
より具体的に、図２Ａを参照すると、制御ユニット１２０は、発光モジュール１１０を複数の発光モードに切り替えることができ、これらの発光モードには、第１の概日刺激モードおよび第２の概日刺激モードが含まれる。発光モジュール１１０は、複数の発光ユニットＤを含み、これらの発光ユニットＤは、エレクトロルミネセンス発光素子、光誘起発光素子またはそれらの組合せを含むことができる。発光ユニットＤは、少なくとも１つの第１の発光ユニットＤ１、少なくとも１つの第２の発光ユニットＤ２および少なくとも１つの第３の発光ユニットＤ３を含むことができる。第１の発光ユニットＤ１は第１のサブ光線Ｗ１を提供し、第２の発光ユニットＤ２は第２のサブ光線Ｗ２を提供し、第３の発光ユニットＤ３は第３のサブ光線Ｗ３を提供し、第１のサブ光線Ｗ１の波ピークの少なくとも１つの範囲は、４２０ｎｍ超４８０ｎｍ未満であり、第２のサブ光線Ｗ２の波ピークの少なくとも１つの範囲は、４８０ｎｍ超５４０ｎｍであり、第３のサブ光線Ｗ３の波ピークの少なくとも１つの範囲は、５４０ｎｍ超であり得る。
【００３２】
制御ユニット１２０が発光モジュール１１０を第１の概日刺激モードに切り替えると、制御ユニット１２０は、発光ユニットＤの第１部分Ｐ１に第１の光Ｌ１を提供させる。第１の光Ｌ１は、第１のサブ光線Ｗ１および第２のサブ光線Ｗ２を含む。また、制御ユニット１２０が発光モジュール１１０を第２の概日刺激モードに切り替えると、制御ユニット１２０は、発光ユニットＤの第２部分Ｐ２に第２の光Ｌ２を提供させる。第２の光Ｌ２は、第１のサブ光線Ｗ１および第３のサブ光線Ｗ３を含む。第１の光Ｌ１および第２の光Ｌ２の色温度は実質的に同じであるので、ユーザの色温度感覚に影響を与えることなく、異なる要件を満たすようにＣＳ／Ｐ値を変化させることができる。
【００３３】
さらに、図２Ｂの光源装置１００’は、図２Ａの光源装置１００に類似しており、各発光ユニットが、図２Ａの実施形態における波ピークの対応範囲と同じ波ピークの範囲を提供する。図２Ｂの図２Ａとの違いは、図２Ｂの光源装置１００’の第１部分Ｐ１’が第３の発光ユニットＤ３をさらに含んでいる点にある。
【００３４】
第１の概日刺激モードのもとで第１部分Ｐ１’により提供される第１の光Ｌ１’は、第１のサブ光線Ｗ１、第２のサブ光線Ｗ２および第３のサブ光線Ｗ３を含むことができ、第２の概日刺激モードのもとで第２部分Ｐ２’により提供される第２の光Ｌ２’は、第１のサブ光線Ｗ１および第３のサブ光線Ｗ３を含むことができる。
【００３５】
光合成終了後における図２Ｂのケースの周波数スペクトルを図２Ｃに示す。第２のサブ光線Ｗ２のＣＳ／Ｐ値が第３のサブ光線Ｗ３のＣＳ／Ｐ値よりも大きいので、第１の光Ｌ１’および第２の光Ｌ２’は、同じ色温度３０００Ｋを有しているにも関わらず、それらの異なる光合成スペクトルによってＣＳ／Ｐ値が互いに異なる。第１の光Ｌ１’のスペクトルは、図２Ｃにおいて、光合成スペクトル曲線ＳＨ１により示されており、ＳＣ／Ｐ値は計算により約０．４３である。また、第２の光Ｌ２’の光合成スペクトルは、図２Ｃにおいて、スペクトル曲線ＳＬ１により示されており、ＣＳ／Ｐ値は計算により約０．２７である。これは、第１の光Ｌ１’の計算によるＳＣ／Ｐ値が、第２の光Ｌ２’のＣＳ／Ｐ値の約１５９％であることを意味している。このように、第２の光Ｌ２’および第１の光Ｌ１’のＣＳ／Ｐ値は上記のとおり相互に異なるが、本開示は、上記の目的を達成する手段を上記の相違点に限定するものではない。
【００３６】
さらに、制御ユニット１２０は、発光モジュール１１０’から射出される光Ｂを、要求に応じて、１日のうちの複数の期間内で第１の概日刺激モード（第１の光Ｌ１’を提供する）または第２の概日刺激モード（第２の光Ｌ２’を提供する）に切り替える。より具体的には、図２Ｄは、図２Ｂの実施形態における光源装置の異なる期間における異なる照明モードを示すタイミング図である。図２Ｂおよび２Ｄを参照すると、例えば、光源装置１００’はホテルの照明に用いることができ、（図２Ｄに、９：００〜１８：００で示されるような）作業時間においては、サービス員の注意力と作業の活力を高め、同時に視覚的な温かさと快適感をもたらすように、色温度が３０００ＫでありかつＣＳ／Ｐ値がより高い第１の光Ｌ１’を提供し；また、光源装置１００’の発光モジュール１１０’は、（図２Ｄに、１８：００〜２２：００で示されるような）夕方から夜にかけての期間においては、照明の色温度に影響を与えることなく夜間勤務のサービス員およびゲストの概日刺激を減少させるように、色温度が同じ３０００ＫでありかつＣＳ／Ｐ値がより低い第２の光Ｌ２’を提供するように切り替えられる。このように、光がメラトニン分泌に影響してサービス員およびゲストの健康状態に悪影響を与えることがないようにする。図２Ｄのタイミング図は、この実施形態を説明するための一例にすぎず、本開示はそれに限定されない。また、他の実施形態では、実際の要求に応じてタイミングを変化させることができる。
【００３７】
図２Ｅは、図２Ａの光源装置のブロック図である。図２Ｅを参照すると、この実施形態において、光源装置１００は、ユーザインタフェース１３０をさらに含み、制御ユニット１２０は、ユーザＵＲの操作に対応してユーザインタフェース１３０から入力される信号に従い、光源装置１００の現在の照明モードを決定することができる。より具体的に、制御ユニット１２０は、たとえば、マイクロプロセッサであり、時間管理データＤＴに従い、発光モジュール１１０を複数の期間に亘ってそれぞれ異なる照明モードに切り替えることができる。時間管理データＤＴは、生物時計に関連している。例えば、時間管理データＤＴは、図２Ｄのタイミング図におけるモード切替え時間データであり得るが、本開示はそれに限定されない。さらに、光源装置１００は、データ書き込みシステムＤＲを含み、時間管理データＤＴは、データ書き込みＤＲと制御ユニット１２０との間の接続を介して記憶ユニットＳＶに受信されて記憶され得る。また、制御ユニット１２０は、記憶ユニットＳＶから時間管理データＤＴを読み込んで制御ユニット１２０それ自体を制御し、図２Ａの実施形態における効果を達成するように、光源駆動モジュールＤＭが第１部分Ｐ１または第２部分Ｐ２を駆動させるようにすることができる。一方で、光源装置１００は、時間管理データＤＴをデータ書き込みシステムＤＲから制御ユニット１２０に伝達するための、接続インタフェース１４０をさらに含む。接続インタフェース１４０は、ケーブル接続インタフェースまたはワイヤレス接続インタフェースである。たとえば、接続インタフェース１４０は、マニュアルスイッチまたはリモートスイッチであり、ユーザＵＲは、光源装置１１０の照明モードを選択または変更するために、当該マニュアルスイッチまたはリモートスイッチを使用することができる。光源装置１００は、時間管理データＤＴの内容に従い、ユーザＵＲの要求を満たすように、時間に応じて照明モードを自動で選択または変更することもできる。
【００３８】
図２Ａの実施形態では、光源装置１００の発光モジュール１１０が、同じ色温度と異なるＣＳ／Ｐ値を有する、第１の光Ｌ１および第２の光Ｌ２を提供することができるが、他の実施形態において、光源装置１００の発光モジュール１１０は、同じまたは異なる色温度と、異なるＣＳ／Ｐ値を有する光を提供することもできる。
【００３９】
図４Ａは、本開示の他の実施形態における光源装置の概略図である。図２Ａの実施形態と同様に、図４Ａの光源装置３００は、第１の発光ユニットＤ１、第２の発光ユニットＤ２および第３の発光ユニットＤ３を含み、第３の発光ユニットＤ３は、２つの発光ユニットＤ３１およびＤ３２を含む。
【００４０】
光源装置３００の第１部分Ｐ１３は、第１の発光ユニットＤ１、第２の発光ユニットＤ２および第３の発光ユニットＤ３１を含み、それぞれが、第１のサブ光線Ｗ１、第２のサブ光線Ｗ２および第３のサブ光線Ｗ３の生成に対応している。本明細書における第２のサブ光線Ｗ２は、第１のサブ光線Ｗ１により励起される蛍光体によって生成され（このとき、第２の発光ユニットＤ２は蛍光体であり得る）、第３のサブ光線Ｗ３は、発光ダイオードによって生成され得る。光源装置３００の第２部分Ｐ２３は、第１の発光ユニットＤ１および第３の発光ユニットＤ３２を含み、それぞれが、第１のサブ光線Ｗ１および第３のサブ光線Ｗ３の生成に対応している。第１のサブ光線Ｗ１は、ＬＥＤにより生成され、第３のサブ光線Ｗ３は、第１のサブ光線Ｗ１により励起される蛍光体によって生成され得る（このとき、第３の発光ユニットＤ３２は蛍光体であり得る）。本明細書において、第１のサブ光線Ｗ１の波ピークの少なくとも１つの範囲は、４２０ｎｍ超４８０ｎｍ未満であり、第２のサブ光線Ｗ２の波ピークの少なくとも１つの範囲は、４８０ｎｍ超５４０ｎｍ未満であり、第３のサブ光線Ｗ３の波ピークの少なくとも１つの範囲は、５４０ｎｍ超である。
【００４１】
図４Ａの実施形態において、図４Ａの光源装置３００では、制御ユニット３２０が、発光モジュール３１０から射出される光Ｂ３を、第１の光Ｌ１３と第２の光Ｌ２３との間で切り替えるが、上記実施形態との違いは、第１の光Ｌ１３および第２の光Ｌ２３の色温度が相互に異なる点にある。
【００４２】
図４Ｂは、図４Ａの実施形態における第１の光のスペクトル曲線を示す図であり、図４Ｃは、図４Ａの実施形態における第２の光のスペクトル曲線を示す図である。この実施形態では、図４Ｂにおける色温度は一例として６５００Ｋであり、図４Ｃにおける色温度は一例として３０００Ｋである。図４Ｂおよび４Ｃにおけるスペクトル曲線を関連式で計算すると、光源装置３００の発光モジュール３１０により提供される第１の光Ｌ１３のＣＳ／Ｐ値は、約０．９４であり、第２の光Ｌ２３のＣＳ／Ｐ値は、約０．２７である。本明細書における第１の光Ｌ１３のＣＳ／Ｐ値は、第２の光Ｌ２３のＣＳ／Ｐ値の約３．４８倍である。すなわち、第１の光Ｌ１３のＣＳ／Ｐ値は、第２の光Ｌ２３のＣＳ／Ｐ値よりも、第２の光Ｌ２３のＣＳ／Ｐ値の５％を超えて大きい。
【００４３】
図４Ｄは、図４Ａの実施形態における光源装置の異なる期間における異なる照明モードを示すタイミング図である。図４Ｄの光源装置３００は、図４Ｄに示すように、住宅用照明に使用することができ、光源装置３００の発光モジュール３１０は、日中の期間（例えば、９：００〜１８：００）においては、人をフレッシュな気分にさせ活力を高めるように、高いＣＳ／Ｐ値および高い色温度（６５００Ｋ）を有する光源を提供することができ、夕方から夜にかけての期間（例えば、１８：００〜２２：００）においては、人に温かさと快適感をもたらすように、低いＣＳ／Ｐ値および低い色温度（３０００Ｋ）を有する光源を提供することができる。上記のＣＳ／Ｐ値、並びに、本明細書の図４Ｂおよび４Ｃにおけるスペクトル曲線は、実施形態で使用される例示にすぎず、他の実施形態では実際の要件に応じて異なっていてもよく、本開示はこれらに限定さない。他の実施形態において、発光モジュールは、それぞれ異なる相関色温度を有するが実質的に同じＣＳ／Ｐ値を有する光を異なるモードにおいて提供すること、または、異なるもしくは実質的に同じ光パラメータをそれぞれ有する光を提供することができ、このことは、以下の図１５〜２２Ｂの実施形態で示される。
【００４４】
図５Ａは、本開示のさらに他の実施形態における光源装置の概略図である。図５Ａの光源装置は、発光モジュール４１０が少なくとも１つの第４の発光ユニットＤ４をさらに含むこと以外は図２Ａの実施形態と同様であり、この実施形態では、第１の発光ユニットＤ１が第１のサブ光線Ｗ１を提供し、第２の発光ユニットＤ２が第２のサブ光線Ｗ２を提供し、第３の発光ユニットＤ３が第３のサブ光線Ｗ３を提供し、第４の発光ユニットＤ４が第４のサブ光線Ｗ４を提供する。図５Ａに示すように、第１部分Ｐ１４は、第１の発光ユニットＤ１、第２の発光ユニットＤ２および第４の発光ユニットＤ４を含むことができ、第２部分Ｐ２４は、第１の発光ユニットＤ１、第３の発光ユニットＤ３および第４の発光ユニットＤ４を含むことができる。制御ユニット４２０が発光モジュール４１０を第１の概日刺激モードに切り替えると、第１の発光ユニットＤ１は第１のサブ光線Ｗ１を射出し、第２の発光ユニットＤ２は第２のサブ光線Ｗ２を射出し、第４の発光ユニットＤ４は第４のサブ光線Ｗ４を射出する；また、制御ユニット４２０が発光モジュール４１０を第２の概日刺激モードに切り替えると、第１の発光ユニットＤ１は第１のサブ光線Ｗ１を射出し、第３の発光ユニットＤ３は第３のサブ光線Ｗ３を射出し、第４の発光ユニットＤ４は第４のサブ光線Ｗ４を射出する。ここでの第１のサブ光線Ｗ１のＣＳ／Ｐ値は、第２のサブ光線Ｗ２のＣＳ／Ｐ値よりも大きく、第２のサブ光線Ｗ２のＣＳ／Ｐ値は、第３のサブ光線Ｗ３のＣＳ／Ｐ値よりも大きい。要するに、図２Ａの実施形態における光源装置１００と同様の効果を達成するように、第１の概日刺激モードのもとで光源装置４００の発光モジュール４１０により提供される第１の光Ｌ１４は、第１のサブ光線Ｗ１、第２のサブ光線Ｗ２および第４のサブ光線Ｗ４を含むことができ、第２の概日刺激モードのもとで光源装置４００の発光モジュール４１０により提供される第２の光Ｌ２４は、第１のサブ光線Ｗ１、第３のサブ光線Ｗ３および第４のサブ光線Ｗ４を含むことができる。
【００４５】
換言すれば、光源装置４００の発光モジュール４１０は、第１の発光ユニットＤ１、第２の発光ユニットＤ２、第３の発光ユニットＤ３および第４の発光ユニットＤ４を含むことができ、少なくとも１つの第１の発光ユニットＤ１、第２の発光ユニットＤ２および第４の発光ユニットＤ４が、第１の光Ｌ１４を射出するための第１の光源（すなわち、第１部分Ｐ１４）を形成することができ、また、第１の発光ユニットＤ１、第３の発光ユニットＤ３および第４の発光ユニットＤ４が、第２の光Ｌ２４を射出するための第２の光源（すなわち、第２部分Ｐ２４）を形成することができる。第１の光源および第２の光源から射出される第１の光Ｌ１４および第２の光Ｌ２４の色温度は、実質的に同じであるが、第１の光Ｌ１４および第２の光Ｌ２４は異なるＣＳ／Ｐ値を有している。
【００４６】
この実施形態において、図５Ａにおける第１の発光ユニットＤ１はＬＥＤとすることができ、第２のサブ光線Ｗ２は、第１のサブ光線Ｗ１により励起される第１の蛍光体により生成することができ、また、第３のサブ光線Ｗ３は、第１のサブ光線Ｗ１により励起される第２の蛍光体により生成することができる。すなわち、この実施形態において、第２の発光ユニットＤ２および第３の発光ユニットＤ３は、エレクトロルミネセンス発光素子（例えば、蛍光体素子）からなり、該素子は、相互に異なる波ピーク範囲を有する第２のサブ光線Ｗ２と第３のサブ光線Ｗ３を生成するように、第１のサブ光線Ｗ１から励起され得る。さらに、この実施形態において、第４の発光ユニットＤ４は、例えば、ＬＥＤとすることができる。また、他の実施形態において、第４の発光ユニットＤ４は、第４のサブ光線Ｗ４を生成するように光により刺激されたエレクトロルミネセンス発光素子（例えば、蛍光体素子）で構成されてもよいが、本開示はこれに限定されない。他の実施形態において、第１の発光ユニットＤ１、第２の発光ユニットＤ２、第３の発光ユニットＤ３および第４の発光ユニットＤ４は、ＬＥＤまたは波ピークの異なる範囲を有するＬＥＤと蛍光体との組み合わせとすることができる。
【００４７】
図５Ｂは、図５Ａの実施形態における第１の光のスペクトル曲線を示す図であり、図５Ｃは、図５Ａの実施形態における第２の光のスペクトル曲線を示す図であり、図５Ｄは、図５Ａの実施形態の異なる期間における異なる照射モードを示すタイミング図である。より具体的には、第１のサブ光線Ｗ１の波ピークの少なくとも１つの範囲は、４２０ｎｍ超４８０ｎｍ未満であり、第２のサブ光線Ｗ２の波ピークの少なくとも１つの範囲は、４８０ｎｍ超５４０ｎｍ未満であり、第３のサブ光線Ｗ３の波ピークの少なくとも１つの範囲は、５４０ｎｍ超５９０ｎｍ未満であり、第４のサブ光線Ｗ４の波ピークの少なくとも１つの範囲は、５９０ｎｍ超６８０ｎｍ未満である。光源装置４００が第１の概日刺激モードにあるとき、発光モジュール４１０により提供される第１の光Ｌ１４のスペクトルは、図５Ｂの光合成スペクトル曲線によって示される。光源装置４００が第２の概日刺激モードにあるとき、発光モジュール４１０により提供される第２の光Ｌ２４の光合成スペクトルは、図５Ｃのスペクトル曲線によって示される。この実施形態において、図５Ｂおよび図５Ｃにおける色温度は、例えば６５００Ｋである。図５Ｂおよび図５Ｃのスペクトル曲線に従えば、光源装置４００により提供される、第１の光Ｌ１４のＣＳ／Ｐ値は約０．９４であると推定することができ、第２の光Ｌ２４のＣＳ／Ｐ値は約０．７９であると推定することができる。したがって、光源装置４００は、図５Ｄに示すような作業照明（例えば、病院や工場照明）に使用することができる。光源装置４００の発光モジュール４１０は、日中（例えば、９：００〜１８：００）は、スタッフを新鮮な気分にさせて活力を高めるように、ＣＳ／Ｐ値が高く、色温度も高い光源を提供することができ、夕方から夜にかけて（例えば、１８：００〜２２：００）は、スタッフの健康に影響を及ぼさないようにスタッフの概日刺激を低減するように、ＣＳ／Ｐ値は低いが色温度は高い光源を提供することができる。図５Ｂおよび図５Ｃのスペクトル曲線は、実施形態を説明するために用いられているにすぎず、本開示はこれに限定されない実際の要件に応じて異なることができる。図５Ａの光源装置４００は、図４Ａの実施形態における光源装置３００と同様に第１のサブ光線Ｗ１と、第２のサブ光線Ｗ２と、第３のサブ光線Ｗ３と、第４のサブ光線Ｗ４との割合を調整することにより、異なる色温度および５％を超える差を有する異なるＣＳ／Ｐ値を有する、第１の光Ｌ１４と第２の光Ｌ２４を提供することができる。このことは、図２Ａおよび図４Ａの実施形態を参照できるので、ここではその説明を省略する。
【００４８】
図６Ａは、本開示のさらに他の実施形態における光源装置の概略図である。図６Ｂ〜図６Ｉは、様々な色温度条件のもと光源装置５００により提供される光のスペクトル曲線を示す図である。図６Ａの光源装置は、図５Ａの実施形態に類似しており、第１のサブ光線Ｗ１、第２のサブ光線Ｗ２、第３のサブ光線Ｗ３および第４のサブ光線Ｗ４があり、これらがすべて同じ範囲の波ピークを有している。図６Ａの実施形態では、光源装置５００の発光モジュール５１０が、これらの照明モードのもとで異なる色温度および高い／低いＣＳ／Ｐ値を有するより多くの光源を提供できること以外は、図５Ａの実施形態に類似している。例えば、この実施形態では、光源装置５００の発光モジュール５１０における第１の発光ユニットＤ１１およびＤ１２が第１のサブ光線Ｗ１を提供し、第２の発光ユニットＤ２が第２のサブ光線Ｗ２を提供し、第４の発光ユニットＤ４が第４のサブ光線Ｗ４を提供するとき、第１のサブ光線Ｗ１と、第２のサブ光線Ｗ２と、第４のサブ光線Ｗ４との割合を調整することにより、光源装置５００の発光モジュール５１０は、より高いＣＳ／Ｐ値を有する光、すなわち第１の光Ｌ１５（例えば、６５００ＫかつＣＳ／Ｐ値が０．８２）、第３の光Ｌ３５（例えば、５０００ＫかつＣＳ／Ｐ値が０．６７）、第５の光Ｌ５５（例えば、４０００ＫかつＣＳ／Ｐ値が０．５４）および第７の光Ｌ７５（例えば、３０００ＫかつＣＳ／Ｐ値が０．３９）を、適用要件に応じてそれぞれ提供することができ；その一方で、光源装置５５０の発光モジュール５１０における第１の発光ユニットＤ１１およびＤ１３が第１のサブ光線Ｗ１を提供し、第３の発光ユニットＤ３が第３のサブ光線Ｗ３を提供し、第４の発光ユニットＤ４が第４のサブ光線Ｗ４を提供するとき、第１のサブ光線Ｗ１と、第３のサブ光線Ｗ３と、第４のサブ光線Ｗ４との割合を調整することにより、光源装置５００の発光モジュール５１０は、より低いＣＳ／Ｐ値を有する光、すなわち第２の光Ｌ２５（例えば、６５００ＫかつＣＳ／Ｐ値が０．７２）、第４の光Ｌ４５（例えば、５０００ＫかつＣＳ／Ｐ値が０．５７）、第６の光Ｌ６５（例えば、４０００ＫかつＣＳ／Ｐ値が０．４５）および第８の光Ｌ８５（例えば、３０００ＫかつＣＳ／Ｐ値が０．３０）を、適用要件に応じてそれぞれ提供することができる。したがって、この実施形態の光源装置５００における発光モジュール５１０は、図２Ａの光源装置１００における発光モジュール１１０および図２Ｂの光源装置における発光モジュール１１０’と比較すると、異なる色温度を有するより多くの光源を提供できるため、様々な適用要件を満たすとともに、優れた適用可能性を有している。
【００４９】
より具体的に、この実施形態では、光源装置５００が、第１の概日刺激モード、第２の概日刺激モード、第３の概日刺激モード、第４の概日刺激モード、第５の概日刺激モード、第６の概日刺激モード、第７の概日刺激モードおよび第８の概日刺激モードを含むことができる。制御ユニット５２０は、発光モジュール５１０により射出される光を、これらの概日刺激モードのもとで、第１の光Ｌ１５（図６Ｂに示すスペクトル曲線に対応する）、第２の光Ｌ２５（図６Ｃに示すスペクトル曲線に対応する）、第３の光Ｌ３５（図６Ｄに示すスペクトル曲線に対応する）、第４の光Ｌ４５（図６Ｅに示すスペクトル曲線に対応する）、第５の光Ｌ５５（図６Ｆに示すスペクトル曲線に対応する）、第６の光Ｌ６５（図６Ｇに示すスペクトル曲線に対応する）、第７の光Ｌ７５（図６Ｈに示すスペクトル曲線に対応する）、第８の光Ｌ８５（図６Ｉに示すスペクトル曲線に対応する）の間でそれぞれ切り替えて、より多くの光源を提供する。
【００５０】
より具体的に、第２の光Ｌ２５のＣＳ／Ｐ値は、第１の光Ｌ１５のＣＳ／Ｐ値よりも小さく、第２の光Ｌ２５および第１の光Ｌ１５の色温度は実質的に同じであり；第４の光Ｌ４５のＣＳ／Ｐ値は、第３の光Ｌ３５のＣＳ／Ｐ値よりも小さく、第４の光Ｌ４５および第３の光Ｌ３５の色温度は実質的に同じであり；第６の光Ｌ６５のＣＳ／Ｐ値は、第５の光Ｌ５５のＣＳ／Ｐ値よりも小さく、第６の光Ｌ６５および第５の光Ｌ５５の色温度は実質的に同じであり；第８の光Ｌ８５のＣＳ／Ｐ値は、第７の光Ｌ７５のＣＳ／Ｐ値よりも小さく、第８の光Ｌ８５および第７の光Ｌ７５の色温度は実質的に同じである。第１の光Ｌ１５、第３の光Ｌ３５、第５の光Ｌ５５および第７の光Ｌ７５の色温度は、実質的に異なり、第２の光Ｌ２５、第４の光Ｌ４５、第６の光Ｌ６５および第８の光Ｌ８５の色温度は、実質的に異なる。換言すれば、光源装置５００の発光モジュール５１０は、第１のサブ光源Ｗ１と、第２のサブ光源Ｗ２と、第３のサブ光源Ｗ３と、第４のサブ光源Ｗ４と、の割合を調整することにより、異なる色温度を有するより多くの組の光源を提供することができる。特に、各組における同じ色温度を有する光は、高いＳＣ／Ｐ値と低いＳＣ／Ｐ値との間で切り替えることができる。
【００５１】
さらに、この実施形態において、光源装置５００の発光モジュール５１０は、３つの第１の発光ユニットＤ１１、Ｄ１２およびＤ１３と、第２の発光ユニットＤ２と、第３の発光ユニットＤ３と、第４の発光ユニットＤ４とを含む。第１の発光ユニットＤ１１、Ｄ１２と、第２の発光ユニットＤ２と、第４の発光ユニットＤ４とが、第１の光源（すなわち、第１部分Ｐ１）を形成して、概日刺激モードの各々において、第１の光Ｌ１５、第３の光Ｌ３５、第５の光Ｌ５５および第７の光Ｌ７５をそれぞれ射出する。他方で、第１の発光ユニットＤ１１，Ｄ１３と、第３の発光ユニットＤ３と、第４の発光ユニットＤ４とが、第２の光源（すなわち、第２部分Ｐ２）を形成して、概日刺激モードの各々において、第２の光Ｌ２５、第４の光Ｌ４５、第６の光Ｌ６５および第８の光をそれぞれ射出する。
【００５２】
このようにして、第１のサブ光線Ｗ１、第２のサブ光線Ｗ２、第３のサブ光線Ｗ３および第４のサブ光線Ｗ４の間における光の合成割合を変化させることにより、光源装置５００は、６５００Ｋの色温度条件のもと、高いＣＳ／Ｐ値を有する第１の光Ｌ１５と低いＣＳ／Ｐ値を有する第２の光Ｌ２５との間で光を切り替えることができ；光源装置５００は、５０００Ｋの色温度条件のもと、高いＣＳ／Ｐ値を有する第３の光Ｌ３５と低いＣＳ／Ｐ値を有する第４の光Ｌ４５との間で光を切り替えることができ；光源装置５００は、４０００Ｋの色温度条件のもと、高いＣＳ／Ｐ値を有する第５の光Ｌ５５と低いＣＳ／Ｐ値を有する第６の光Ｌ６５との間で光を切り替えることができ；光源装置５００は、３０００Ｋの色温度条件のもと、高いＣＳ／Ｐ値を有する第７の光Ｌ７５と低いＣＳ／Ｐ値を有する第８の光Ｌ８５との間で光を切り替えることができる。結果的に、光源装置５００はより大きな適用可能性を有する。
【００５３】
第１の光Ｌ１５と第２の光Ｌ２５は、同じ色温度と異なるＣＳ／Ｐ値を有し、第３の光Ｌ３５と第４の光Ｌ４５は、同じ色温度と異なるＣＳ／Ｐ値を有し、第５の光Ｌ５５と第６の光Ｌ６５は、同じ色温度と異なるＣＳ／Ｐ値を有し、第７の光Ｌ７５と第８の光Ｌ８５は、同じ色温度と異なるＣＳ／Ｐ値を有する。しかしながら、他の実施形態において、第１の光Ｌ１５と第２の光Ｌ２５は、異なる色温度を有することができ、第１の光Ｌ１５のＣＳ／Ｐ値は、第２の光Ｌ２５のＣＳ／Ｐ値よりも、該第２の光Ｌ２５のＣＳ／Ｐ値の５％を超えて大きく；第３の光Ｌ３５と第４の光Ｌ４５は、異なる色温度を有することができ、第３の光Ｌ３５のＣＳ／Ｐ値は、第４の光Ｌ４５のＣＳ／Ｐ値よりも、該第４の光Ｌ４５のＣＳ／Ｐ値の５％を超えて大きく；第５の光Ｌ５５と第６の光Ｌ６５は、異なる色温度を有することができ、第５の光Ｌ１５のＣＳ／Ｐ値は、第６の光Ｌ２５のＣＳ／Ｐ値よりも、該第６の光Ｌ６５のＣＳ／Ｐ値の５％を超えて大きく；第７の光Ｌ７５と第８の光Ｌ８５は、異なる色温度を有することができ、第７の光Ｌ７５のＣＳ／Ｐ値は、第８の光Ｌ８５のＣＳ／Ｐ値よりも、該第８の光Ｌ８５のＣＳ／Ｐ値の５％を超えて大きい。このように、図６Ａの光源装置と同様の効果を有している。
【００５４】
図６Ｊは、図６Ａの実施形態における光源装置の異なる期間における異なる照射モードを示すタイミング図である。図６Ｊを参照すると、光源装置５００は、例えば、オフィス照明として使用され、日中の期間（図６Ｊに示すように８：００〜１１：００）においては、光源装置５００を第１の概日刺激モードに切り替えて、発光モジュール５１０が高い色温度（６５００Ｋ）および高いＣＳ／Ｐ値を有する第１の光Ｌ１５を提供するようにし；ランチ休憩の期間（１１：００〜１３：００）においては、休憩中のスタッフに対する概日刺激が低減するように、光源装置５００を第２の概日刺激モードに切り替えて、発光モジュール５１０が高い色温度（６５００Ｋ）および低いＣＳ／Ｐ値を有する第２の光Ｌ２５を提供するようにし；ランチ休憩後の午後の期間（１３：００〜１６：００）においては、作業効率を上げるように、光源装置５００を第１の概日刺激モードに切り替え直し；作業後の夕方の期間（図６Ｊに示すように１８：００以降）においては、光源装置５００を第７の概日刺激モードに切り替えて、発光モジュール５１０が低い色温度（３０００Ｋ）を有する第７の光Ｌ７５を提供するようにし；就寝する夜間（図６Ｊに示すように２２：００以降）においては、光源装置５００を第８の概日刺激モードに切り替えて、発光モジュール５１０に低い色温度（３０００Ｋ）および最も低いＣＳ／Ｐ値を有する第８の光Ｌ８５を提供させるようにする。さらに、光源装置５００は、より幅広い用途に対応するべく、より多くの光源の組合せを提供することができる。
【００５５】
図７は、本開示の他の実施形態における光源装置の概略図であり、図８Ａは、図７の第１の照明モードにおける、第１の光のスペクトルおよび発光ユニットからそれぞれ射出される光のスペクトルを示す図であり、図８Ｂは、図７の第２の照明モードにおける、第２の光のスペクトルおよび発光ユニットからそれぞれ射出される光のスペクトルを示す図であり、図９は、図７の第１の光および第２の光のＣＩＥ  １９７６  ｕ’−ｖ’図における色座標を示す図である。図８Ａおよび図８Ｂにおいて、横軸は波長をナノメータ（ｎｍ）単位で表し、縦軸はスペクトル強度を任意単位で表している。図７、図８Ａ、図８Ｂおよび図９を参照すると、この実施形態における光源装置１００ａは図２Ａの光源装置に類似しているが、図１Ａの光源装置との主な違いは、光源装置１００ａでは、第１の光Ｌ１のスペクトルが第２の光Ｌ２のスペクトルとは異なり、第１の光Ｌ１および第２の光Ｌ２の色温度が実質的に相互に同一であるが、第１の光Ｌ１および第２の光Ｌ２の概日刺激値が考慮されていない点にある。
【００５６】
この実施形態では、光源装置１００ａが、発光モジュール１１０ａおよび制御ユニット１２０を含む。発光モジュールは、光Ｂを提供するように構成されている。制御ユニット１２０は、発光モジュール１１０ａから射出される光Ｂを、第１の光Ｌ１と第２の光Ｌ２との間で切り替える。第１の光Ｌ１のスペクトル（図８Ａ参照）は、第２の光Ｌ２のスペクトル（図８Ｂ参照）とは異なり、第１の光Ｌ１と第２の光Ｌ２の色温度（図９参照）は実質的に相互に同じである。図９を参照すると、第１の光Ｌ１の色座標と第２の光Ｌ２の色座標は、３０００Ｋの相関色温度（ＣＣＴ）を表す同じ線上に実質的に位置している。
【００５７】
この実施形態では、制御ユニット１２０が、発光モジュール１１０ａを複数の照射モードに切り替える。照射モードは、第１の照射モードおよび第２の照射モードを含む。発光モジュール１１０ａは、複数の発光ユニットを含み、例えば、第１の発光ユニットＤ１、第２の発光ユニットＤ２、第３の発光ユニットＤ３、第４の発光ユニットＤ４および第５の発光ユニットＤ５である。制御ユニット１２０が発光モジュール１１０ａを第１の照射モードに切り替えると、制御ユニット１２０は、第１部分または発光ユニットのすべてに第１の光Ｌ１を射出させる。この実施形態では、制御ユニット１２０が発光モジュール１１０ａを第１の照射モードに切り替えると、制御ユニット１２０は、第１から第５の発光ユニットＤ１〜Ｄ５を含むすべての発光ユニットに第１の光Ｌ１を射出させる。制御ユニット１２０が発光モジュール１１０ａを第２の照射モードに切り替えると、制御ユニット１２０は、発光ユニット（例えば、第１から第４の発光ユニットＤ１〜Ｄ４を含む）の第２部分Ｐ２に第２の光Ｌ２を射出させる。第１部分および第２部分は、互いに部分的に同じであるか、または、互いに全く異なっている。
【００５８】
発光ユニット、例えば、第１から第５の発光ユニットは、エレクトロルミネセンス発光素子、光誘起発光素子またはそれらの組合せを含む。
【００５９】
この実施形態では、発光モジュール１１０ａが、少なくとも１つの第１の発光ユニットＤ１と、少なくとも１つの第２の発光ユニットＤ２と、少なくとも１つの第３の発光ユニットＤ３と、少なくとも１つの第４の発光ユニットＤ４と、少なくとも１つの第５の発光ユニットＤ５とを含む。第１の発光ユニットＤ１が第１のサブ光線Ｗ１を提供し、第２の発光ユニットＤ２が第２のサブ光線Ｗ２を提供し、第３の発光ユニットＤ３が第３のサブ光線Ｗ３を提供し、第４の発光ユニットＤ４が第４のサブ光線Ｗ４を提供し、第５の発光ユニットＤ５が第５のサブ光線Ｗ５を提供する。第２部分Ｐ２は、第１の発光ユニットＤ１と、第２の発光ユニットＤ２と、第３の発光ユニットＤ３と、第４の発光ユニットＤ４とを少なくとも含む。
【００６０】
制御ユニット１２０が発光モジュール１１０ａを第１の照射モードに切り替えると、第１の発光ユニットＤ１が第１のサブ光線Ｗ１を射出し、第２の発光ユニットＤ２が第２のサブ光線Ｗ２を射出し、第３の発光ユニットＤ３が第３のサブ光線Ｗ３を射出し、第４の発光ユニットＤ４が第４のサブ光線Ｗ４を射出し、第５の発光ユニットＤ５が第５のサブ光線Ｗ５を射出する。制御ユニット１２０が発光モジュール１１０ａを第２の照射モードに切り替えると、第１の発光ユニットＤ１が第１のサブ光線Ｗ１を射出し、第２の発光ユニットＤ２が第２のサブ光線Ｗ２を射出し、第３の発光ユニットＤ３が第３のサブ光線Ｗ３を射出し、第４の発光ユニットＤ４が第４のサブ光線Ｗ４を射出する。さらに、第５のサブ光線Ｗ５は、不可視光線である。
【００６１】
この実施形態では、第１の光Ｌ１および第２の光Ｌ２の１つが不可視光線を含んでいてもよい。例えば、第１のサブ光線Ｗ１、第２のサブ光線Ｗ２、第３のサブ光線Ｗ３および第４のサブ光線Ｗ４が可視光線であり、第５のサブ光線Ｗ５が不可視光線であり得る。具体的には、この実施形態では、第１のサブ光線Ｗ１が青色光線であり、第２のサブ光線Ｗ２が緑色光線であり、第３のサブ光線Ｗ３が黄色光線であり、第４のサブ光線Ｗ４が赤色光線であり、第５のサブ光線Ｗ５が紫外光線である。さらに、この実施形態では、第１の発光ユニットＤ１が第１の発光ダイオード（ＬＥＤ）であり、第２の発光ユニットＤ２が第１の蛍光体であり、第３の発光ユニットＤ３が第２の蛍光体であり、第４の発光ユニットＤ４が第３の蛍光体であり、第５の発光ユニットＤ５が第２のＬＥＤである。第２のサブ光線Ｗ２は、第１のサブ光線Ｗ１によって励起された第１の蛍光体により生成され、第３のサブ光線Ｗ３は、第１のサブ光線Ｗ１によって励起された第２の蛍光体により生成され、第４のサブ光線Ｗ４は、第１のサブ光線Ｗ１によって励起された第３の蛍光体により生成される。この実施形態では、第１、第２および第３の蛍光体が、第１の発光ユニットＤ１、すなわち第１のＬＥＤを覆う封入材料にドープされていてもよい。
【００６２】
この実施形態では、第１の光Ｌ１が紫外線光を含むが、第２の光Ｌ２は紫外線光を含んでいない。したがって、発光モジュール１１０ａが第１の照射モードに切り替えられると、発光モジュール１１０ａは、白色光および紫外線を含む第１の光Ｌ１を射出するので、第１の光Ｌ１は、蛍光増白剤を含有する製品、例えば、繊維製品を照射するのに適している。また、発光モジュール１１０ａが第２の照射モードに切り替えられると、発光モジュール１１０ａは、白色光を含むがＵＶ光は含まない第２の光Ｌ２を照射するので、第２の光Ｌ２は、革靴、革製品、芸術品などＵＶ光で損傷しやすいものを照射するのに適している。さらに、この実施形態に従う光源装置１００ａでは、第１の光Ｌ１および第２の光Ｌ２の色温度が実質的に相互に同じであるため、複数の光源装置１００ａまたは発光モジュール１１０ａが同じ展示スペースに配置され、それぞれが第１の光Ｌ１および第２の光Ｌ２を射出した場合に、光源装置１００ａまたは発光モジュール１１０ａの光色は均一でありながら、第１の光Ｌ１および第２の光Ｌ２はそれぞれ異なる機能を達成することができる。
【００６３】
他の実施形態では、第１のサブ光線Ｗ１が青色光線であり、第２のサブ光線Ｗ２がシアン色光線であってもよく、第３のサブ光線Ｗ３がライム色光線であってもよく、第４のサブ光線Ｗ４が赤色光線であり、第５のサブ光線Ｗ５が紫外光線であるので、第１のサブ光線Ｗ１、第２のサブ光線Ｗ２、第３のサブ光線Ｗ３および第４のサブ光線Ｗ４を含む第２の光Ｌ２のスペクトルは、自然な白色光の連続スペクトルにより類似している。
【００６４】
さらに他の実施形態では、第５のサブ光線Ｗ５が赤外光線であってもよく、赤外光線は位置決めシステムに使用することができる。その結果、第１の光Ｌ１は、照射および位置決めの両方の用途で使用することができる。
【００６５】
図１０は、本開示の他の実施形態における光源装置の概略図であり、図１１Ａは、図１０の第１の照射モードにおける、第１の光のスペクトルおよび発光ユニットからそれぞれ射出される光のスペクトルを示す図であり、図１１Ｂは、図１０の第２の照射モードにおける、第２の光のスペクトルおよび発光ユニットからそれぞれ射出される光のスペクトルを示す図であり、図１２は、図１０の第１の光および第２の光のＣＩＥ  １９７６  ｕ’−ｖ’図における色座標を示す図である。図１１Ａおよび図１１Ｂにおいて、横軸は波長をナノメータ（ｎｍ）単位で表し、縦軸はスペクトル強度を任意単位で表している。図１０、図１１Ａ、図１１Ｂおよび図１２を参照すると、この実施形態における光源装置１００ｂは、図７の光源装置１００ａに類似しており、これらの主な違いは以下の通りである。
【００６６】
この実施形態では、第１の光Ｌ１’の全体的な演色評価値（ＣＲＩ）が第２の光Ｌ２’のそれよりも大きい。全体的なＣＲＩは、ＣＲＩ  Ｒ１〜ＣＲＩ  Ｒ８の平均として定義され、「Ｒａ」として示される。さらに、この実施形態では、第２の光Ｌ２’の発光効率が第１の光Ｌ１’のそれよりも大きい。
【００６７】
この実施形態では、発光モジュール１１０ｂが、少なくとも１つの第１の発光ユニットＤ１’、少なくとも１つの第２の発光ユニットＤ２’、少なくとも１つの第３の発光ユニットＤ３’、少なくとも１つの第４の発光ユニットＤ４’、少なくとも１つの第５の発光ユニットＤ５’および少なくとも１つの第６の発光ユニットＤ６’を含む。第１の発光ユニットＤ１’が第１のサブ光線Ｗ１’を提供し、第２の発光ユニットＤ２’が第２のサブ光線Ｗ２’を提供し、第３の発光ユニットＤ３’が第３のサブ光線Ｗ３’を提供し、第４の発光ユニットＤ４’が第４のサブ光線Ｗ４’を提供し、第５の発光ユニットＤ５’が第５のサブ光線Ｗ５’を提供し、第６の発光ユニットＤ６’が第６のサブ光線Ｗ６’を提供する。
【００６８】
制御ユニット１２０が発光モジュール１１０ｂを第１の照射モードに切り替えると、制御ユニット１２０は、発光ユニット（例えば、第１、第２、第３および第４の発光ユニットＤ１’、Ｄ２’、Ｄ３’およびＤ４’）の第１部分Ｐ１’に第１の光Ｌ１’を射出させる。制御ユニット１２０が発光モジュール１１０ｂを第２の照射モードに切り替えると、制御ユニット１２０は、発光ユニット（例えば、第１、第５および第６の発光ユニットＤ１’、Ｄ５’およびＤ６’）の第２部分Ｐ２’に第２の光Ｌ２‘を射出させる。第１部分Ｐ１’および第２部分Ｐ２’は、相互に部分的に同じであるか、または、相互に全く異なっている。この実施形態では、第１部分Ｐ１’および第２部分Ｐ２’はともに第１の発光ユニットを含んでいるため、第１部分Ｐ１’および第２部分Ｐ２’は相互に部分的に同じである。
【００６９】
第１部分Ｐ１’は、第１の発光ユニットＤ１’、第２の発光ユニットＤ２’、第３の発光ユニットＤ３’および第４の発光ユニットＤ４’を少なくとも含む。第２部分Ｐ２’は、第１の発光ユニットＤ１’、第５の発光ユニットＤ５’および第６の発光ユニットＤ６’を少なくとも含む。制御ユニット１２０が発光モジュール１１０ｂを第１の照射モードに切り替えると、第１の発光ユニットＤ１’は第１のサブ光線Ｗ１’を射出し、第２の発光ユニットＤ２’は第２のサブ光線Ｗ２’を射出し、第３の発光ユニットＤ３’は第３のサブ光線Ｗ３’を射出し、第４の発光ユニットＤ４’は第４のサブ光線Ｗ４’を射出する。制御ユニット１２０が発光モジュール１１０ｂを第２の照射モードに切り替えると、第１の発光ユニットＤ１’は第１のサブ光線Ｗ１’を射出し、第５の発光ユニットＤ５’は第５のサブ光線Ｗ５’を射出し、第６の発光ユニットＤ６’は第６のサブ光線Ｗ６’を射出する。
【００７０】
この実施形態では、第１のサブ光線Ｗ１’が青色光線であり、第２のサブ光線Ｗ２’が緑色光線であり、第３のサブ光線Ｗ３’が黄色光線であり、第４のサブ光線Ｗ４’が赤色光線であり、第５のサブ光線Ｗ５’が赤色光線であり、第６のサブ光線Ｗ６’がライム色光線である。
【００７１】
この実施形態では、第１の発光ユニットＤ１’がＬＥＤであり、第２の発光ユニットＤ２’が第１の蛍光体であり、第３の発光ユニットＤ３’が第２の蛍光体であり、第４の発光ユニットＤ４’が第３の蛍光体であり、第５の発光ユニットＤ５’が第２のＬＥＤであり、第６の発光ユニットＤ６’が第４の蛍光体である。第１の蛍光体、第２の蛍光体、および第３の蛍光体は、第７の発光ユニットＤ７’（例えば、第３のＬＥＤ）により射出される光（例えば、第２のサブ光線Ｗ７’）により励起されて、第２のサブ光線Ｗ２’、第３のサブ光線Ｗ３’および第４のサブ光線Ｗ４’をそれぞれ射出する。第４の蛍光体は、第８の発光ユニットＤ８’（例えば、第４のＬＥＤ）により射出される光（例えば、第８のサブ光線Ｗ８’）によって励起されて、第６のサブ光線Ｗ６’を射出する。この実施形態では、第７のサブ光線Ｗ７’および第８のサブ光線Ｗ８’が、例えば、青色光線である。この実施形態では、第１の蛍光体、第２の蛍光体および第３の蛍光体が、第７の発光ユニットＤ７’を覆う封入材料１１３にドープされていてもよく、第４の蛍光体が、第８の発光ユニットＤ８’を覆う封入材料１１５にドープされていてもよい。
【００７２】
この実施形態では、第１の光Ｌ１’の全体的な演色評価値（ＣＲＩ）が９０超であり第２の光Ｌ２’のそれよりも大きいが、第２の光Ｌ２’の発光効率は、第１の光Ｌ１’のそれよりも大きい。したがって、発光モジュール１１０ｂが第１の発光モードに切り替えられると、発光モジュール１１０ｂは、全体的なＣＲＩがより高い第１の光Ｌ１’を射出するので、第１の光Ｌ１’は、新鮮な食べ物を照らすように適合される。その結果、新鮮な食べ物はより良く発色し得る。発光モジュール１１０ｂが第２の照射モードに切り替えられると、発光モジュール１１０ｂは、発光効率がより高い第２の光Ｌ２’を照射するので、第２の光Ｌ２’は、発光効率がより重視される場面で使用されるように適合される。図１１Ａ、図１１Ｂおよび図１２に示すように、第１の光Ｌ１’（図１１Ａ）および第２の光Ｌ２’（図１１Ｂ）は、異なるスペクトルを有するが、実質的に同じ色温度を有する（図１２）。図１２において、第１の光Ｌ１’の座標および第２の光Ｌ２’の座標は、２５００Ｋと３０００Ｋとの間の相関色温度を表す実質的に同じ線上に位置している。さらに、第２の光Ｌ２’のスペクトルは、低い概日刺激値および低い青色光ハザードを有する。
【００７３】
図１３Ａは、本開示の他の実施形態に従う、図１０の第１の照射モードにおける、第１の光のスペクトルおよび発光ユニットからそれぞれ射出された光のスペクトルを示す図であり、図１３Ｂは、本開示の他の実施形態に従う、図１０の第２の照射モードにおける、第２の光のスペクトルおよび発光ユニットからそれぞれ射出された光のスペクトルを示す図であり、図１４は、本開示の他の実施形態に従う、図１０の第１の光および第２の光のＣＩＥ１９７６ｕ’−ｖ’図における色座標を示す図である。図１３Ａおよび図１３Ｂにおいて、横軸は波長をナノメータ（ｎｍ）単位で表し、縦軸はスペクトル強度を任意単位で表している。図１０、図１３Ａ、図１３Ｂおよび図１４を参照すると、この実施形態における光源装置１００ｂの構造は、図１０、図１１Ａ、図１１Ｂおよび図１２の実施形態における光源装置１００ｂの構造と実質的に同じであるが、これらの主な違いは、この実施形態における第１の光Ｌ１’および第２の光Ｌ２’（図１３Ａおよび図１３Ｂに示される）が、図１０、図１１Ａ、図１１Ｂおよび図１２の実施形態における第１の光Ｌ’および第２の光Ｌ２’（図１１Ａおよび図１１Ｂに示される）と異なる点にある。
【００７４】
この実施形態では、第１の光Ｌ１’のＣＲＩ  Ｒ１４が第２の光Ｌ２’のそれよりも大きく、第２の光Ｌ２’のＣＲＩ  Ｒ１３が第１の光Ｌ’のそれよりも大きい。具体的に、この実施形態では、第１の光Ｌ１’のＣＲＩ  Ｒ１４が９０超であり、第２の光Ｌ２’のＣＲＩ  Ｒ１３が９０超である。さらに、この実施形態では、第１の光Ｌ１’および第２の光Ｌ２’の全体的なＣＲＩがともに８４超である。
【００７５】
この実施形態では、発光モジュール１１０ｂが第１の照射モードに切り替えられると、発光モジュール１１０ｂは、より高いＣＲＩ  Ｒ１４を有する第１の光Ｌ１’を射出し、第１の光Ｌ１’が緑葉植物を照射するのに適合するようにする。その結果、緑葉植物はより良く発色し得る。発光モジュール１１０ｂが第２の照射モードに切り替えられると、発光モジュール１１０ｂは、より高いＣＲＩ  Ｒ１３を有する第２の光Ｌ２’を射出し、第２の光Ｌ２’が人の顔やポートレイトを照射するのに適合するようにする。その結果、人の顔やポートレイトはより良く発色し得る。図１３Ａ、図１３Ｂおよび図１４に示すように、第１の光Ｌ１’（図１３Ａ）および第２の光Ｌ２’（図１３Ｂ）は、異なるスペクトルを有するが、実質的に同じ色温度（図１４）を有する。図１４において、第１の光Ｌ１’の色座標および第２の光Ｌ２’の色座標は、４０００Ｋの相関色温度を表す同一線上に実質的に位置している。
【００７６】
上述の実施形態における発光ユニットは、ＬＥＤまたは蛍光体に限定されない。他の実施形態において、上述の発光ユニットは、有機発光ダイオード（ＯＬＥＤ）または他の適切な発光デバイスとしてもよい。
【００７７】
図１５は、本開示の他の実施形態における光源装置の概略図であり、図１６Ａは、図１５の発光体から射出されたサブ光のスペクトルを示す図であり、図１６Ｂは、図１５の発光モジュールから射出された光の、概日作用因子対相関色温度を示すグラフである。図１５、図１６Ａおよび図１６Ｂを参照すると、この実施形態における光源装置６００は、発光モジュール６１０および制御ユニット６２０を含む。発光モジュール６１０は、光Ｂ６を提供するように構成されている。制御ユニット６２０は、発光モジュール６１０から射出される光Ｂ６が、複数種類の第１の光の間で切り替えられるようにする。複数種類の第１の光の相関色温度（ＣＣＴ）は相互に異なり、該複数種類の第１の光の概日作用因子は実質的に相互に同じである。概日作用因子は、上述のＣＳ／Ｐ値である。例えば、図１６Ｂにおいて、黒の四角点は、一種の第１の光の概日作用因子およびＣＣＴを意味し、図１６Ｂにおいて横軸に実質的に沿って整列している黒の四角点は、複数種類の第１の光にそれぞれ属する概日作用因子およびＣＣＴを意味している。「複数種類の第１の光の概日作用因子が実質的に相互に同じである」ということは、概日作用因子の偏差が、概日作用因子の平均の±２０％以内であること、好ましくは、概日作用因子の平均の±１０％以内であることを意味する。
【００７８】
この実施形態において、発光モジュール６１０は、複数の発光体Ｅ１、Ｅ２、Ｅ３、Ｅ４１およびＥ４２を含み、該発光体のそれぞれが、異なる波長範囲を有するサブ光Ｖ１、Ｖ２、Ｖ３、Ｖ４１およびＶ４２を射出し、サブ光Ｖ１、Ｖ２、Ｖ３、Ｖ４１およびＶ４２が、発光モジュール６１０により提供される光Ｂ６を生成する。発光モジュール６１０から射出される光Ｂ６は、サブ光Ｖ１、Ｖ２、Ｖ３、Ｖ４１およびＶ４２の割合を変化させることにより、複数種類の第１の光の間で切り替えられる。発光体Ｅ１、Ｅ２、Ｅ３、Ｅ４１およびＥ４２は、エレクトロルミネセンス発光素子、光誘起発光素子またはそれらの組合せを含むことができる。エレクトロルミネセンス発光素子は、例えば、発光ダイオード（ＬＥＤ）チップであり、光誘起発光素子は、例えば、蛍光体である。この実施形態では、発光体Ｅ１、Ｅ２、Ｅ３およびＥ４１が発光ダイオードチップであり、発光体Ｅ４２が蛍光体である。さらに、発光体Ｅ４１および発光体Ｅ４２は発光体Ｅ４を形成し、ここでは、発光体Ｅ４１が、例えば、青色ＬＥＤチップであり、発光体Ｅ４２が、例えば、イットリウムアルミニウムガーネット（ＹＡＧ）蛍光体であり、発光体Ｅ４が白色ＬＥＤである。すなわち、サブ光Ｖ４１は青色サブ光であり、サブ光Ｖ４２は黄色サブ光であり、サブ光Ｖ４１およびサブ光Ｖ４２がサブ光Ｖ４を形成し、該サブ光Ｖ４は白色サブ光である。具体的には、発光体Ｅ４１からのサブ光Ｖ４１が発光体Ｅ４２を照射すると、発光体Ｅ４２がサブ光Ｖ４１をサブ光Ｖ４２に変換する。サブ光Ｖ４２および未変換のサブ光Ｖ４１が、サブ光Ｖ４を生成する。
【００７９】
この実施形態では、サブ光Ｖ１のピーク波長が、４６０ナノメータ（ｎｍ）〜４７０ｎｍの範囲内であり、サブ光Ｖ２のピーク波長が、５１５ｎｍ〜５２５ｎｍの範囲内であり、サブ光Ｖ３のピーク波長が、６２０ｎｍ〜６３０ｎｍの範囲内であり、サブ光Ｖ４は、３１００ＫのＣＣＴを有する白色光である。この実施形態において、発光ダイオードチップから射出されるサブ光Ｖ１、Ｖ２およびＶ３の各々の半値全幅（ＦＷＨＭ）は、４０ナノメータ未満である。例えば、サブ光Ｖ１のＦＷＨＭは２５ｎｍであり、サブ光Ｖ２のＦＷＨＭは３２ｎｍであり、サブ光Ｖ３のＦＷＨＭは１８ｎｍであり、サブ光Ｖ４のＦＷＨＭは７４ｎｍであり、ここでは、サブ光Ｖ４がサブ光Ｖ４２および未変換のサブ光Ｖ４１を含む。この実施形態において、サブ光Ｖ１、Ｖ２、Ｖ３およびＶ４は可視光であるが、本開示はそれに限定されない。
【００８０】
制御ユニット６２０は、発光体Ｅ１、Ｅ２、Ｅ３およびＥ４１にそれぞれ印加される電流または電圧を変化させることにより、サブ光Ｖ１、Ｖ２、Ｖ３、Ｖ４の強度の割合を変化させるように構成されており、光Ｂ６は複数種類の第１の光の間で切り替えられる。この実施形態において、サブ光Ｖ１、Ｖ２、Ｖ３およびＶ４の割合は、発光体Ｅ１、Ｅ２、Ｅ３およびＥ４１のパルス幅変調により変化する。例えば、図１６Ｂに示すように、光Ｂ６のＣＳ／Ｐ値が０．８である場合、パルス幅変調を実行している制御ユニット６２０によって、光Ｂ６のＣＣＴは３７５０Ｋ〜５５００Ｋに変調されてもよい。ＣＳ／Ｐ値が０．８であり、ＣＣＴが３７５０Ｋである場合、発光体Ｅ１、Ｅ２、Ｅ３およびＥ４のパルス幅変調のヂューティサイクル比は、例えば、３：１８：１７：２である。ＣＳ／Ｐ値が０．８であり、ＣＣＴが５５００Ｋである場合、発光体Ｅ１、Ｅ２、Ｅ３およびＥ４のパルス幅変調のヂューティサイクル比は、例えば、１３：１１：０：２０である。
【００８１】
この実施形態では、複数種類の第１の光のＤｕｖ値の各々は、０．００５未満である。白色光の色の一貫性のために、標準的なＣＣＴは依然として色度の変動に許容範囲を有している。ＣＩＥ  １９７６  色空間におけるプランク軌跡に垂直な変化として定義されるＤｕｖは、色度の変化を示すために使用される。通常、Ｄｕｖが０．００５未満であれば、視聴者は色の不一致を容易には識別できない。
【００８２】
図１６Ｃは、図１５の発光モジュールから射出される光の演色評価値対相関色温度を示すグラフである。図１５、１６Ａ、１６Ｃを参照すると、この実施形態では、制御ユニット６２０がまた、発光モジュール６１０から射出される光Ｂ６を複数種類の第２の光の間で切り替える。このとき、複数種類の第２の光の相関色温度（ＣＣＴ）は相互に異なり、複数種類の第２の光の相関演色評価値（ＣＲＩ）は実質的に相互に同じである。例えば、図１６Ｃにおいて、黒の四角点は、１種類の第１の光のＣＲＩおよびＣＣＴを意味し、図１６Ｃの横軸に実質的に沿って整列した黒の四角点は、複数種類の第２の光にそれぞれ属するＣＲＩおよびＣＣＴを意味している。「複数種類の第２の光のＣＲＩが実質的に相互に同じである」とは、ＣＲＩの偏差が±５位内であることを意味する。この実施形態において、複数種類の第２の光の各々のＤｕｖ値は、０．００５未満である。この実施形態において、光Ｂ６のＣＲＩは８５であり、光Ｂ６のＣＣＴは、パルス幅変調を実行する制御ユニット６２０によって２７００Ｋ〜６５００Ｋに変調されてもよい。
【００８３】
この実施形態では、制御ユニット６２０はまた、発光モジュール６１０から射出される光Ｂ６を複数種類の第３の光の間で切り替える。このとき、複数種類の第３の光の相関色温度（ＣＣＴ）は実質的に相互に同じであり、複数種類の第３の光の演色評価値（ＣＲＩ）または概日作用因子（すなわち、ＣＳ／Ｐ値）は相互に異なる。「ＣＣＴが実質的に同じである」または「複数種類の第３の光の相関色温度（ＣＣＴ）が実質的に相互に同じである」ということは、表２および表２以降の段落における実質的に同じ色温度の定義と同じように定義される。この実施形態において、図１６Ｂまたは図１６Ｃにおける黒の四角点は、１種類の第３の光のＣＳ／Ｐ値およびＣＣＴ、または、１種類の第３の光のＣＲＩおよびＣＣＴを意味し、図１６Ｂまたは図１６Ｃおける縦軸に沿って実質的に整列している黒の四角点は、複数の第３の光にそれぞれ属するＣＳ／Ｐ値およびＣＣＴ、または、複数の第３の光にそれぞれ属するＣＲＩおよびＣＣＴを意味している。さらに、この実施形態において、複数種類の第３の光のＣｕｖ値の各々は０．００５未満である。例えば、ＣＣＴが３０００Ｋの場合、光Ｂ６のＣＳ／Ｐ値は、パルス幅変調を実行する制御ユニット６２０によって０．３〜０．６に変調されてもよい。さらに、ＣＣＴが３０００Ｋの場合、光Ｂ６のＣＲＩは、パルス幅変調を実行する制御ユニット６２０によって５５〜９３に変調されてもよい。
【００８４】
制御ユニット６２０は、また、発光モジュール６１０から射出される光Ｂ６を複数種類の第４の光の間で切り替えることができ、ここでは、複数種類の第４の光の概日作用因子（すなわち、ＣＳ／Ｐ値）は、相関色温度範囲内における太陽光の概日作用因子をカバーするか、または、実質的に同じであり、相関色温度範囲は３０００Ｋ〜６５００Ｋの範囲である。図１６Ｂにおける灰色の四角点および灰色線は、太陽光のＣＣＴにそれぞれ対応する概日作用因子を示しており、図１６Ｂにおける黒の四角点は、複数種類の第４の光のＣＣＴにそれぞれ対応する概日作用因子を示している。図１６Ｄは、太陽光の概日作用因子対相関色温度を示すグラフである。図１５、１６Ａ、１６Ｂおよび１６Ｄを参照すると、この実施形態では、図１６Ｂにおける黒の四角点の領域が、灰色の四角点および灰色線をカバーしているが、これは、例えば、３０００Ｋ〜６５００Ｋの相関色温度範囲において、複数種類の第４の光の概日作用因子（すなわち、ＣＳ／Ｐ値）が、太陽光の概日作用因子をカバーしていることを意味する。さらに、この実施形態において、複数種類の第４の光のＤｕｖ値の各々は、０．００５未満である。
【００８５】
この実施形態では、上述のパルス幅変調を実行する制御ユニット６２０を介してサブ光Ｖ１、Ｖ２、Ｖ３およびＶ４の割合を変化させることにより、発光モジュール６１０から射出される光Ｂ６を、複数種類の第１の光、複数種類の第２の光、複数種類の第３の光および複数種類の第４の光の間で切り替えられる。
【００８６】
この実施形態に従う光源装置６００では、発光モジュール６１０から射出される光Ｂ６が複数種類の第１の光、複数種類の第２の光、複数種類の第３の光および複数種類の第４の光の間で切り替えられるため、光源装置６００は、より多くの用途を有することができる。
【００８７】
図１７は、本開示の他の実施形態における光源装置の概略図であり、図１８Ａは、図１７の発光体から射出されたサブ光のスペクトルを示す図であり、図１８Ｂは、図１７の発光モジュールから射出された光の概日作用因子対相関色温度を示すグラフである。図１８Ｃは、図１７の発光モジュールから射出された光の演色評価値対相関色温度を示すグラフであり、白の四角点は、図１７の発光モジュールから射出された光Ｂ６の演色評価値および対応する相関色温度を示している。図１７、１８Ａ、１８Ｂおよび１８Ｃを参照すると、この実施形態における光源装置６００ａは、図１５の光源装置６００に類似しており、これらの主な違いは以下の通りである。この実施形態では、発光モジュール６１０ａが、複数の発光体Ｅ１１ａ、Ｅ１２ａ、Ｅ２ａ、Ｅ３ａ、Ｅ４ａ、Ｅ５ａ、Ｅ６ａおよびＥ７ａを含み、該発光体のそれぞれが異なる波長を有するサブ光Ｖ１１ａ、Ｖ１２ａ、Ｖ２ａ、Ｖ３ａ、Ｖ４ａ、Ｖ５ａ、Ｖ６ａおよびＶ７ａを射出し、該サブ光Ｖ１１ａ、Ｖ１２ａ、Ｖ２ａ、Ｖ３ａ、Ｖ４ａ、Ｖ５ａ、Ｖ６ａおよびＶ７ａが、発光モジュール６１０ａにより提供される光Ｂ６を生成している。この実施形態において、発光体Ｅ１１ａ、Ｅ２ａ、Ｅ３ａ、Ｅ４ａ、Ｅ５ａ、Ｅ６ａおよびＥ７は発光ダイオードチップであり、Ｅ１２ａは蛍光体である。さらに、発光体Ｅ１１ａおよび発光体Ｅ１２は発光体Ｅ１ａをなし、ここにおいて、発光体Ｅ１２ａは、例えば、ライム色を有する蛍光体である。発光体Ｅ１１ａからのサブ光Ｖ１１ａが発光体Ｅ１２ａを照射すると、発光体Ｅ１２ａは、サブ光Ｖ１１ａをサブ光Ｖ１２ａに変換する。サブ光Ｖ１２ａおよび未変換のサブ光Ｖ１１が、サブ光Ｖ１ａをなす。この実施形態では、ほとんどすべてのサブ光Ｖ１１ａが発光体Ｅ１２ａによりサブ光Ｖ１２ａに変換されて、未変換のサブ光Ｖ１１ａは無視できるため、サブ光Ｖ１ａはライム色を有するものとみなすことができる。
【００８８】
この実施形態において、サブ光Ｖ１ａのピーク波長は、５５０ｎｍ〜５６０ｎｍの範囲内にあり、サブ光Ｖ２ａのピーク波長は、４４０ｎｍ〜４５０ｎｍの範囲内にあり、サブ光Ｖ３ａのピーク波長は、４６０ｎｍ〜４７０ｎｍの範囲内にあり、サブ光Ｖ４ａのピーク波長は、４９０ｎｍ〜５００ｎｍの範囲内にあり、サブ光Ｖ５ａのピーク波長は、５２０ｎｍ〜５３０ｎｍの範囲内にあり、サブ光Ｖ６ａのピーク波長は、６１０ｎｍ〜６２０ｎｍの範囲内にあり、サブ光Ｖ７ａのピーク波長は、６５０ｎｍ〜６７０ｎｍの範囲内にある。さらに、例えば、サブ光Ｖ１ａのＦＷＨＭは、９３ｎｍであり、サブ光Ｖ２ａのＦＷＨＭは、１６ｎｍであり、サブ光Ｖ３ａのＦＷＨＭは、２０ｎｍであり、サブ光Ｖ４ａのＦＷＨＭは、２２ｎｍであり、サブ光Ｖ５ａのＦＷＨＭは、２８ｎｍであり、サブ光Ｖ６ａのＦＷＨＭは、１４ｎｍであり、サブ光Ｖ７ａのＦＷＨＭは、１５ｎｍである。
【００８９】
制御ユニット６２０は、発光体Ｅ１１ａ、Ｅ２ａ、Ｅ３ａ、Ｅ４ａ、Ｅ５ａ、Ｅ６ａおよびＥ７ａにそれぞれ印加される電流または電圧を変化させることによって、サブ光Ｖ１ａ、Ｖ２ａ、Ｖ３ａ、Ｖ４ａ、Ｖ５ａ、Ｖ６ａおよびＶ７ａの強度の割合を変化させるように構成されているため、光Ｂ６は、複数種類の第１の光、複数種類の第２の光、複数種類の第３の光、および複数種類の第４の光の間で切り替えることができる。この実施形態において、サブ光Ｖ１ａ、Ｖ２ａ、Ｖ３ａ、Ｖ４ａ、Ｖ５ａ、Ｖ６ａおよびＶ７ａの割合は、発光体Ｅ１１ａ、Ｅ２ａ、Ｅ３ａ、Ｅ４ａ、Ｅ５ａ、Ｅ６ａおよびＥ７ａのパルス幅変調によって変化する。例えば、図１８Ｂに示すように、光Ｂ６のＣＳ／Ｐ値が０．７であるとき、パルス幅変調を実行する制御ユニット６２０によって、光Ｂ６のＣＣＴは２７００Ｋから６５００Ｋに変調されてもよい。光Ｂ６のＣＲＩが９３であるとき、パルス幅変調を実行する制御ユニット６２０によって、光Ｂ６のＣＣＴは２７００Ｋから６５００Ｋに変調されてもよい。さらに、光Ｂ６のＣＣＴが６０００Ｋであるとき、パルス幅変調を実行する制御ユニット６２０によって、光Ｂ６のＣＳ／Ｐ値は０．６２から１．４に変調されてもよい。光Ｂ６のＣＣＴが６０００Ｋであるとき、パルス幅変調を実行する制御ユニット６２０によって、光Ｂ６のＣＲＩは１から９８に変調されてもよい。この実施形態において、複数種類の第１の光、複数種類の第２の光、複数種類の第３の光、および複数種類の第４の光のＤｕｖ値の各々は、０．００５未満である。
【００９０】
図１９Ａ〜１９Ｄは、図１７の発光モジュールから射出された光のＣＲＩがそれぞれ８０超、９０超、９３超、９５超である場合の、概日作用因子対相関色温度を示すグラフである。図１７、１８Ｂおよび１９Ａ〜１９Ｄを参照すると、制御ユニット６２０はまた、発光モジュール６１０ａから射出される光Ｂ６を複数種類の第４の光の間で切り替えることができ、複数種類の第４の光の概日作用因子（すなわち、ＣＳ／Ｐ値）は、ある相関色温度範囲内における太陽光の概日作用因子をカバーするか、または、実質的に同じであり、該相関色温度範囲は、例えば、３０００Ｋ〜６５００Ｋである。図１８Ａ、１９Ａ〜１９Ｄにおける灰色の四角点および灰色線は、太陽光のＣＣＴにそれぞれ対応する概日作用因子を示しており、図１８Ｂ、１９Ａおよび１９Ｂにおける黒の四角点は、複数種類の第４の光のＣＣＴにそれぞれ対応する概日作用因子を示している。図１８Ｂ、１９Ａおよび１９Ｂにおいて、複数種類の第４の光の概日作用因子（すなわち、ＣＳ／Ｐ値）は、例えば、３０００Ｋ〜６５００Ｋの相関色温度範囲において、太陽光の概日作用因子をカバーしている。図１９Ａの実施形態において、複数種類の第４の光の演色評価値の各々は８０超である。さらに、図１９Ａおよび図１９Ｄにおいて、複数種類の第４の光の概日作用因子（すなわち、ＣＳ／Ｐ値）は、例えば、３０００Ｋ〜６５００Ｋの相関色温度範囲内において、太陽光の概日作用因子と実質的に同じである。なお、「複数種類の第４の光の概日作用因子（すなわち、ＣＳ／Ｐ値）は、太陽光の概日作用因子と実質的に同じである」とは、複数種類の第４の光の概日作用因子の、対応するＣＣＴにおける太陽光の概日作用因子からの偏差がそれぞれ±２０％以内、好ましくは、対応するＣＣＴにおける概日作用因子の±１０％以内であることを意味する。
【００９１】
図２０は、本開示の他の実施形態における光源装置の概略図であり、図２１Ａは、図２０の光源装置により射出されたサブ光のスペクトルを示す図であり、図２１Ｂは、図２０の発光モジュールから放射される光の概日作用因子対相関色温度を示すグラフである。図２１Ｃは、図２０の発光モジュールから放射される光の演色評価値対相関色温度を示すグラフであり、白の四角点は、図２０の光源装置から射出された光Ｂ６の演色評価値および対応する相関色温度を示している。図２０および２１Ａ〜２１Ｃを参照すると、この実施形態における光源装置６００ｂは、図１７の光源装置６００ａに類似しており、これらの主な違いは以下の通りである。この実施形態では、図１７における発光体Ｅ１ａに代えて発光体Ｅ１ｂが使用されている。発光体Ｅ１ｂは、例えば、発光ダイオードチップであり、発光体Ｅ１ａにより射出されたサブ光Ｖ１ｂのピーク波長は、５５０ｎｍ〜５６０ｎｍの範囲内である。サブ光Ｖ１ｂのＦＷＨＭは、例えば、２８ｎｍである。
【００９２】
制御ユニット６２０は、発光体Ｅ１ｂ、Ｅ２ａ、Ｅ３ａ、Ｅ４ａ、Ｅ５ａ、Ｅ６ａおよびＥ７ａにそれぞれ印加される電流または電圧を変化させることによって、サブ光Ｖ１ａ、Ｖ２ａ、Ｖ３ａ、Ｖ４ａ、Ｖ５ａ、Ｖ６ａおよびＶ７ａの強度の割合を変化させるように構成されているため、光６は、複数種類の第１の光、複数種類の第２の光、複数種類の第３の光、および複数種類の第４の光の間で切り替えることができる。この実施形態において、サブ光Ｖ１ｂ、Ｖ２ａ、Ｖ３ａ、Ｖ４ａ、Ｖ５ａ、Ｖ６ａおよびＶ７ａの割合は、発光体Ｅ１ｂ、Ｅ２ａ、Ｅ３ａ、Ｅ４ａ、Ｅ５ａ、Ｅ６ａおよびＥ７ａのパルス幅変調によって変化する。例えば、図２１Ｂに示すように、光Ｂ６のＣＳ／Ｐ値が０．４であるとき、パルス幅変調を実行する制御ユニット６２０によって、光Ｂ６のＣＣＴは２７００Ｋから６５００Ｋに変調されてもよい。光Ｂ６のＣＲＩが９０であるとき、パルス幅変調を実行する制御ユニット６２０によって、光Ｂ６のＣＣＴは２７００Ｋから６５００Ｋに変調されてもよい。さらに、光Ｂ６のＣＣＴが６０００Ｋであるとき、パルス幅変調を実行する制御ユニット６２０によって、光Ｂ６のＣＳ／Ｐ値は０．４から１．４に変調されてもよい。光Ｂ６のＣＣＴが６０００Ｋであるとき、パルス幅変調を実行する制御ユニット６２０によって、光Ｂ６のＣＲＩは１から９２に変調されてもよい。この実施形態において、複数種類の第１の光、複数種類の第２の光、複数種類の第３の光、および複数種類の第４の光のＤｕｖ値の各々は、０．００５未満である。
【００９３】
図２２Ａおよび２２Ｂは、図２０の発光モジュールから射出された光のＣＲＩがそれぞれ８０超および９０超である場合の、概日作用因子対相関色温度を示すグラフである。図２０、２１Ｂ、２２Ａおよび２２Ｂを参照すると、制御ユニット６２０はまた、発光モジュール６１０ｂから射出される光Ｂ６を複数種類の第４の光の間で切り替えることができ、複数種類の第４の光の概日作用因子（すなわち、ＣＳ／Ｐ値）は、ある相関色温度範囲内における太陽光の概日作用因子をカバーするか、または、実質的に同じであり、該相関色温度範囲は、例えば、３０００Ｋ〜６５００Ｋである。図２１Ｂ、２２Ａおよび２２Ｂにおける灰色の丸点および灰色線は、太陽光のＣＣＴにそれぞれ対応する概日作用因子を示しており、図２１Ｂ、２２Ａおよび２２Ｂにおける黒の四角点はすべて、複数種類の第４の光のＣＣＴにそれぞれ対応する概日作用因子を示している。図２１Ｂおよび２２Ａにおいて、複数種類の第４の光の概日作用因子（すなわち、ＣＳ／Ｐ値）は、例えば、３０００Ｋ〜６５００Ｋの相関色温度範囲において、太陽光の概日作用因子をカバーしている。さらに、図２１Ｂにおいて、複数種類の第４の光の概日作用因子（すなわち、ＣＳ／Ｐ値）は、例えば、３０００Ｋ〜６５００Ｋの相関色温度範囲内において、太陽光の概日作用因子と実質的に同じである。なお、「複数種類の第４の光の概日作用因子（すなわち、ＣＳ／Ｐ値）は、太陽光の概日作用因子と実質的に同じである」とは、複数種類の第４の光の概日作用因子の、対応するＣＣＴにおける太陽光の概日作用因子からの偏差がそれぞれ±２０％以内、好ましくは、対応するＣＣＴにおける概日作用因子の±１０％以内であることを意味する。
【００９４】
図２３は、本開示の他の実施形態における光源装置の概略図であり、図２４Ａ〜２４Ｄは、４つの実施形態において図２３の発光体におり射出されたサブ光のスペクトルを示す図であり、図２５Ａおよび２５Ｂは、図２３の発光モジュールから射出された光および太陽光のＣＡＦ対ＣＣＴを示すグラフである。図２３〜２５Ｂを参照すると、この実施形態における光源装置６００ｃは、発光モジュール６１０ｃおよび制御ユニット６２０ｃを含む。発光モジュール６１０ｃは、光Ｂ６ｃを提供するように構成されている。制御ユニット６２０ｃは、光のＣＡＦおよびＣＣＴが、太陽光のＣＡＦ対ＣＣＴ軌跡（すなわち、図２５Ａにおける点線の曲線）とは異なる、光Ｂ６ｃのＣＡＦ対ＣＣＴ軌跡（すなわち、図２５Ａにおける、三角点または丸点により形成される曲線）に沿って変化するように、第１のサブ光Ｖ１ｃと第２のサブ光Ｖ２ｃとの割合を変化させて光Ｂ６ｃを生成するように構成されている。ここでは、第１のサブ光Ｖ１ｃおよび第２のサブ光Ｖ２ｃの一方のＣＡＦ対ＣＣＴ座標が、太陽光のＣＡＦ対ＣＣＴ軌跡を下回り、第１のサブ光Ｖ１ｃおよび第２のサブ光Ｖ２ｃの他方のＣＡＦ対ＣＣＴ座標が、太陽光のＣＡＦ対ＣＣＴ軌跡を上回っている。例えば、第１のサブ光Ｖ１ｃのＣＣＴは、第２のサブ光Ｖ２ｃのそれ未満であり、図２５Ａにおいて、三角点により形成される曲線の左端のＣＡＦ対ＣＣＴ座標は、第１のサブ光Ｖ１ｃのＣＡＦ対ＣＣＴ座標を意味し、該座標は、太陽光のＣＡＦ対ＣＣＴ座標を上回っており、図２５Ａにおいて三角点により形成される曲線の右端のＣＡＦ対ＣＣＴ座標は、第２のサブ光Ｖ２ｃのＣＡＦ対ＣＣＴ座標を意味し、該座標は、太陽光のＣＡＦ対ＣＣＴ座標を下回っている。他の実施形態では、図２５Ａにおける丸点により形成される曲線の左端のＣＡＦ対ＣＣＴ座標は、第１のサブ光Ｖ１ｃのＣＡＦ対ＣＣＴ座標を意味し、該座標は、太陽光のＣＡＦ対ＣＣＴ座標を下回っており、図２５Ａにおいて丸点により形成される曲線の右端のＣＡＦ対ＣＣＴ座標は、第２のサブ光Ｖ２ｃのＣＡＦ対ＣＣＴ座標を意味し、該座標は、太陽光のＣＡＦ対ＣＣＴ座標を上回っている。
【００９５】
この実施形態において、発光モジュール６１０ｃは、複数の発光体Ｅ１ｃおよびＥ２ｃを含み、それぞれが第１のサブ光Ｖ１ｃおよび第２のサブ光Ｖ２ｃを射出する。発光体Ｅ１ｃおよびＥ２ｃの各々は、少なくとも１つのエレクトロルミネセンス発光素子、少なくとも１つの光誘起発光素子またはそれらの組合せを含むことができる。エレクトロルミネセンス発光素子は、例えば、発光ダイオード（ＬＥＤ）チップであり、光誘起発光素子は、例えば、蛍光体である。この実施形態において、第１のサブ光Ｖ１ｃおよび第２のサブ光Ｖ２ｃは、白色光であってもよい。発光体Ｅ１ｃは、複数の異なる色のＬＥＤチップ、例えば、赤色ＬＥＤチップ、緑色ＬＥＤチップ、および青色ＬＥＤチップを含んでいてもよく、または、少なくとも１種類の蛍光体を伴う少なくとも１つのＬＥＤチップ、例えば、黄色の蛍光体で包まれた青色ＬＥＤチップを含んでいてもよい。同様に、発光体Ｅ２ｃは、複数の異なる色のＬＥＤチップ、例えば、赤色ＬＥＤチップ、緑色ＬＥＤチップ、および青色ＬＥＤチップを含んでいてもよく、または、蛍光体を伴う少なくとも１つのＬＥＤチップ、例えば、黄色の蛍光体で包まれた青色ＬＥＤチップを含んでいてもよい。図２４Ａは、一実施形態における第１のサブ光Ｖ１ｃおよび第２のサブ光Ｖ２ｃのスペクトルを示し、図２４Ｂは、他の実施形態における第１のサブ光Ｖ１ｃおよび第２のサブ光Ｖ２ｃのスペクトルを示している。図２４Ａの実施形態において、第１のサブ光Ｖ１ｃのＣＡＦ対ＣＣＴ座標（すなわち、図２５Ａにおいて、丸点により形成される曲線の左端のＣＡＦ対ＣＣＴ座標）は、太陽光のＣＡＦ対ＣＣＴ軌跡を下回り、第２のサブ光Ｖ２ｃのＣＡＦ対ＣＣＴ座標（すなわち、図２５Ａにおいて、丸点により形成される曲線の右端のＣＡＦ対ＣＣＴ座標）は、太陽光のＣＡＦ対ＣＣＴ軌跡を上回っている。したがって、光Ｂ６ｃは、特に夜間におけるユーザの自然な概日リズムを維持するように、太陽光に対して低いＣＣＴおよびＣＡＦを有するように調整され、また、ユーザの作業を刺激するように、太陽光に対して高いＣＣＴおよびＣＡＦを有するように調整されてもよい。
【００９６】
その一方で、図２４Ｂの実施形態では、第１のサブ光Ｖ１ｃのＣＡＦ対ＣＣＴ座標（すなわち、図２５Ａにおいて、三角点により形成される曲線の左端のＣＡＦ対ＣＣＴ座標）は、太陽光のＣＡＦ対ＣＣＴ軌跡を上回り、第２のサブ光Ｖ２ｃのＣＡＦ対ＣＣＴ座標（すなわち、図２５Ａにおいて、三角点により形成される曲線の右端のＣＡＦ対ＣＣＴ座標）は、太陽光のＣＡＦ対ＣＣＴ軌跡を下回っている。したがって、光Ｂ６ｃは、低いＣＣＴにおいてユーザの作業を刺激するように、太陽光に対して低いＣＣＴおよび高いＣＡＦを有するように調整され、また、高いＣＣＴにおいてユーザの自然な概日リズムを維持するように、太陽光に対して高いＣＣＴおよび低いＣＡＦを有するように調整されてもよい。
【００９７】
図２４Ｃおよび図２４Ｄは、他の２つの実施形態における、第１のサブ光Ｖ１ｃおよび第２のサブ光Ｖ２ｃのスペクトルを示している。図２４Ｃの実施形態において、第１のサブ光Ｖ１ｃのＣＡＦ対ＣＣＴ座標（すなわち、図２５Ｂにおいて、四角点により形成される曲線の左端のＣＡＦ対ＣＣＴ座標）は、太陽光のＣＡＦ対ＣＣＴ軌跡を下回り、第２のサブ光Ｖ２ｃのＣＡＦ対ＣＣＴ座標（すなわち、図２５Ｂにおいて、四角点により形成される曲線の右端のＣＡＦ対ＣＣＴ座標）もまた、太陽光のＣＡＦ対ＣＣＴ軌跡を下回っている。したがって、光Ｂ６ｃは、ユーザの自然な概日リズムを常に維持するようにＣＣＴが調整されたとき、太陽光に対して常に低いＣＡＦを有する。
【００９８】
その一方で、図２４Ｄの実施形態では、第１のサブ光Ｖ１ｃのＣＡＦ対ＣＣＴ座標（すなわち、図２５Ｂにおいて、星型点により形成される曲線の左端のＣＡＦ対ＣＣＴ座標）が、太陽光のＣＡＦ対ＣＣＴ軌跡を上回り、第２のサブ光Ｖ２ｃのＣＡＦ対ＣＣＴ座標（すなわち、図２５Ｂにおいて、星型点により形成される曲線の右端のＣＡＦ対ＣＣＴ座標）もまた、太陽光のＣＡＦ対ＣＣＴ軌跡を上回っている。したがって、光Ｂ６ｃは、ユーザの作業を常に刺激するようにＣＣＴが調整されたとき、太陽光に対して常に高いＣＡＦを有する。
【００９９】
以下の表３は、サブ光Ｖ１ｃとサブ光Ｖ２ｃとの異なる割合に対応する光学データを示している。
【０１００】
【表３】
2019009126.tif 000006
【０１０１】
表３において、ＰＷＭ１とＰＷＭとの比は、発光体Ｅ１ｃと発光体Ｅ２ｃのパルス変調幅（ＰＷＭ）のデューティーサイクル比を意味しており、当該比は、第１のサブ光Ｖ１ｃと第２のサブ光Ｖ２ｃとの強度比に関係する。さらに、表３中のｘおよびｙは、ＣＩＥ１９３１色空間色度図におけるｘおよびｙ色度座標を意味する。
【０１０２】
図２６は、本開示の他の実施形態における光源装置お概略図であり、図２７Ａおよび２７Ｂは、２つの実施形態において図２６の発光体から射出されたサブ光のスペクトルを示す図であり、図２８Ａおよび２８Ｂは、図２６の発光モジュールから射出された光および太陽光のＣＡＦ対ＣＣＴのグラフである。図２６〜２８Ｂを参照すると、図２６の光源装置６００ｄは、図２３の光源装置６００ｃに類似しており、それらの主な違いは以下の通りである。この実施形態では、光源装置６００ｄの発光モジュール６１０ｄが、第３のサブ光Ｖ３ｄを射出する発光体Ｅ３ｄをさらに含む。発光体Ｅ３ｄは、少なくとも１つのエレクトロルミネセンス発光素子、少なくとも１つの光誘起発光素子またはそれらの組合せを含むことができる。エレクトロルミネセンス発光素子は、例えば、発光ダイオード（ＬＥＤ）チップであり、光誘起発光素子は、例えば、蛍光体である。この実施形態では、第３のサブ光Ｖ３ｄが白色光であってもよい。発光体Ｅ３ｄは、複数の異なる色のＬＥＤチップ、例えば、赤色ＬＥＤチップ、緑色ＬＥＤチップ、および青色ＬＥＤチップを含んでいてもよく、または、少なくとも１種類の蛍光体を伴う少なくとも１つのＬＥＤチップ、例えば、黄色の蛍光体で包まれた青色ＬＥＤチップを含んでいてもよい。
【０１０３】
この実施形態において、制御ユニット６２０ｃは、光Ｂ６ｄのＣＡＦ対ＣＣＴ座標が、第１のサブ光Ｖ１ｃのＣＡＦ対ＣＣＴ座標、第２のサブ光Ｖ２ｃのＣＡＦ対ＣＣＴ座標、および第３のサブ光のＣＡＦ対ＣＣＴ座標にそれぞれ位置する３つの頂点Ｑ１、Ｑ２およびＱ３を有する領域内で変化するように、第１のサブ光Ｖ１ｃ、第２のサブ光Ｖ２ｃ、および第３のサブ光Ｖ３ｄの割合を変化させて光Ｂ６ｄを生成するように構成されている。
【０１０４】
図２７Ａは、一実施形態における、第１のサブ光Ｖ１ｃ、第２のサブ光Ｖ２ｃ、および第３のサブ光Ｖ３ｄのスペクトルを示しており、図２７Ｂは、他の実施形態における、第１のサブ光Ｖ１ｃ、第２のサブ光Ｖ２ｃ、および第３のサブ光Ｖ３ｄのスペクトルを示している。さらに、図２８Ａは、図２７Ａの実施形態に対応し、図２８Ｂは、図２７Ｂの実施形態に対応している。図２７Ａの実施形態では、第１のサブ光Ｖ１ｃのＣＣＴ（すなわち、頂点Ｑ１のＣＣＴ）が、第２のサブ光Ｖ２ｃのそれ（すなわち、頂点Ｑ２のＣＣＴ）よりも小さく、第３のサブ光Ｖ３ｄのＣＣＴ（すなわち、頂点Ｑ３のＣＣＴ）が、第２のサブ光Ｖ２ｃのそれ（すなわち、頂点Ｑ２のＣＣＴ）よりも小さい。さらに、第１のサブ光Ｖ１ｃのＣＡＦ対ＣＣＴ座標（すなわち、頂点Ｑ１の座標）および第３のサブ光Ｖ３ｄのＣＡＦ対ＣＣＴ座標（すなわち、頂点Ｑ３の座標）はそれぞれ、太陽光のＣＡＦ対ＣＣＴ軌跡の一方側と他方側にある。この実施形態において、第１のサブ光Ｖ１ｃのＣＡＦ対ＣＣＴ座標（すなわち、頂点Ｑ１の座標）は、太陽光のＣＡＦ対ＣＣＴ軌跡の下方にあり、第２のサブ光Ｖ２ｃのＣＡＦ対ＣＣＴ座標（すなわち、頂点Ｑ２の座標）は、太陽光のＣＡＦ対ＣＣＴ軌跡の上方にあり、第３のサブ光Ｖ３ｄのＣＡＦ対ＣＣＴ座標（すなわち、頂点Ｑ３の座標）は、太陽光のＣＡＦ対ＣＣＴ軌跡の上方にある。
【０１０５】
図２７Ｂの実施形態において、第１のサブ光Ｖ１ｃのＣＣＴ（すなわち、頂点Ｑ１のＣＣＴ）は、第２のサブ光Ｖ２ｃのＣＣＴ（すなわち、頂点Ｑ２のＣＣＴ）よりも小さく、第３のサブ光Ｖ３ｄのＣＣＴ（すなわち、頂点Ｑ３のＣＣＴ）は、第１のサブ光のＣＣＴ（すなわち、頂点Ｑ１のＣＣＴ）よりも大きい。さらに、第２のサブ光Ｖ２ｃのＣＡＦ対ＣＣＴ座標（すなわち、頂点Ｑ２の座標）および第３のサブ光Ｖ３ｄのＣＡＦ対ＣＣＴ座標（すなわち、頂点Ｑ３の座標）はそれぞれ、太陽光のＣＡＦ対ＣＣＴ軌跡の一方側と他方側にある。この実施形態において、第１のサブ光Ｖ１ｃのＣＡＦ対ＣＣＴ座標（すなわち、頂点Ｑ１の座標）は、太陽光のＣＡＦ対ＣＣＴ軌跡の下方にあり、第２のサブ光Ｖ２ｃのＣＡＦ対ＣＣＴ座標（すなわち、頂点Ｑ２の座標）は、太陽光のＣＡＦ対ＣＣＴ軌跡の上方にあり、第３のサブ光Ｖ３ｄのＣＡＦ対ＣＣＴ座標（すなわち、頂点Ｑ３の座標）は、太陽光のＣＡＦ対ＣＣＴ軌跡の下方にある。
【０１０６】
以下の表４は、第１のサブ光Ｖ１ｃ、第２のサブ光Ｖ２ｃ、および第３のサブ光Ｖ３ｄの異なる割合に対応する光学データを示している。
【０１０７】
【表４】
2019009126.tif 000007
【０１０８】
表４において、（ＰＷＭ１）：（ＰＷＭ２）：（ＰＷＭ３）の比は、発光体Ｅ１ｃ、Ｅ２ｃ、およびＥ３ｄのパルス幅変調（ＰＷＭ）のデューティー周期の比を意味しており、当該比は、第１のサブ光Ｖ１ｃと第２のサブ光Ｖ２ｃと第３のサブ光Ｖ３ｄとの強度比に関係する。さらに、表４中のｘおよびｙは、ＣＩＥ１９３１色空間色度図におけるｘおよびｙ色度座標を意味する。
【０１０９】
図２９は、本開示の他の実施形態における光源装置の概略図であり、図３０は、図２９の発光体から射出されたサブ光のスペクトルを示す図であり、図３１は、図２９の発光モジュールから射出されたサブ光および太陽光のスペクトルを示す図である。図２９〜３１を参照すると、図２９の光源装置６００ｅは、図２９の光源装置６００ｅは、図２６の光源装置６００ｄに類似しており、これらの主な違いは以下の通りである。この実施形態では、光源装置６００ｅの発光モジュール６００ｅが、第４のサブ光Ｖ４ｅを射出する発光体Ｅ４ｅをさらに含む。発光体Ｅ４ｅは、少なくとも１つのエレクトロルミネセンス発光素子、少なくとも１つの光誘起発光素子またはそれらの組合せを含むことができる。エレクトロルミネセンス発光素子は、例えば、発光ダイオード（ＬＥＤ）チップであり、光誘起発光素子は、例えば、蛍光体である。この実施形態では、第４のサブ光Ｖ４ｅが白色光であってもよい。発光体Ｅ４ｅは、複数の異なる色のＬＥＤチップ、例えば、赤色ＬＥＤチップ、緑色ＬＥＤチップ、および青色ＬＥＤチップを含んでいてもよく、もしくは、少なくとも１種類の蛍光体を伴う少なくとも１つのＬＥＤチップ、例えば、黄色の蛍光体で包まれた青色ＬＥＤチップを含んでいてもよい。
【０１１０】
この実施形態において、制御ユニット６２０ｃは、光Ｂ６ｅのＣＡＦ対ＣＣＴ座標が、第１のサブ光Ｖ１ｃのＣＡＦ対ＣＣＴ座標、第２のサブ光Ｖ２ｃのＣＡＦ対ＣＣＴ座標、第３のサブ光のＣＡＦ対ＣＣＴ座標、および第４のサブ光のＣＡＦ対ＣＣＴ座標にそれぞれ位置する４つの頂点Ｑ１、Ｑ２、Ｑ３およびＱ４を有する領域内で変化するように、第１サブ光Ｖ１ｃ、第２のサブ光Ｖ２ｃ、第３のサブ光Ｖ３ｄ、および第４のサブ光Ｖ４ｅの割合を変化させて光Ｂ６ｅを生成するように構成されている。
【０１１１】
図３０は、図２９における、第１サブ光Ｖ１ｃ、第２のサブ光Ｖ２ｃ、第３のサブ光Ｖ３ｄ、および第４のサブ光Ｖ４ｅのスペクトルを示している。この実施形態では、第１のサブ光Ｖ１ｃのＣＣＴ（すなわち、頂点Ｑ１のＣＣＴ）が、第２のサブ光Ｖ２ｃのそれ（すなわち、頂点Ｑ２のＣＣＴ）および第４のサブ光Ｖ４ｅのそれ（すなわち、頂点Ｑ４のＣＣＴ）よりも小さく、第３のサブ光Ｖ３ｄのＣＣＴ（すなわち、頂点Ｑ３のＣＣＴ）が、第２のサブ光Ｖ２ｃのそれ（すなわち、頂点Ｑ２のＣＣＴ）および第４のサブ光Ｖ４ｅのそれ（すなわち、頂点Ｑ４のＣＣＴ）よりも小さい。また、第１のサブ光Ｖ１ｃのＣＡＦ対ＣＣＴ座標（すなわち、頂点Ｑ１の座標）および第３のサブ光Ｖ３ｄのＣＡＦ対ＣＣＴ座標（すなわち、頂点Ｑ３の座標）はそれぞれ、太陽光のＣＡＦ対ＣＣＴ軌跡の一方側と他方側にあり、第２のサブ光Ｖ２ｃのＣＡＦ対ＣＣＴ座標（すなわち、頂点Ｑ２の座標）および第４のサブ光Ｖ４ｅのＣＡＦ対ＣＣＴ座標（すなわち、頂点Ｑ４の座標）はそれぞれ、太陽光のＣＡＦ対ＣＣＴ軌跡の一方側と他方側にある。この実施形態において、第１のサブ光Ｖ１ｃのＣＡＦ対ＣＣＴ座標（すなわち、頂点Ｑ１の座標）は、太陽光のＣＡＦ対ＣＣＴ軌跡の下方にあり、第２のサブ光Ｖ２ｃのＣＡＦ対ＣＣＴ座標（すなわち、頂点Ｑ２の座標）は、太陽光のＣＡＦ対ＣＣＴ軌跡の上方にあり、第３のサブ光Ｖ３ｄのＣＡＦ対ＣＣＴ座標（すなわち、頂点Ｑ３の座標）は、太陽光のＣＡＦ対ＣＣＴ軌跡の上方にあり、第４のサブ光Ｖ４ｅのＣＡＦ対ＣＣＴ座標（すなわち、頂点Ｑ４の座標）は、太陽光のＣＡＦ対ＣＣＴ軌跡の下方にある。
【０１１２】
以下の表５は、第１のサブ光Ｖ１ｃ、第２のサブ光Ｖ２ｃ、第３のサブ光Ｖ３ｄ、および第４のサブ光Ｖ４ｅの異なる割合に対応する光学データを示している。
【０１１３】
【表５】
2019009126.tif 000008
【０１１４】
表５において、（ＰＷＭ１）：（ＰＷＭ２）：（ＰＷＭ３）：（ＰＷＭ４）の比は、発光体Ｅ１ｃ、Ｅ２ｃ、Ｅ３ｄおよびＥ４ｅのパルス幅変調（ＰＷＭ）のデューティー周期の比を意味しており、当該比は、第１のサブ光Ｖ１ｃと第２のサブ光Ｖ２ｃと第３のサブ光Ｖ３ｄと、第４のサブ光Ｖ４ｅとの強度比に関係する。さらに、表５中のｘおよびｙは、ＣＩＥ１９３１色空間色度図におけるｘおよびｙ色度座標を意味する。
【０１１５】
図３２は、他の実施形態において図２３の発光体から射出されたサブ光のスペクトルを示している。図３３は、図３２の実施形態における発光モジュールから射出された光のＣＲＩ対ＣＣＴを示すグラフである。図３４Ａは、図３２の実施形態における発光モジュールから射出される光の、ＣＣＴが５０００超である場合の、青色光ハザード対ＣＣＴを示すグラフである。図３４Ｂは、図３２の実施形態における発光モジュールから射出される光の、ＣＣＴが５０００超である場合の、青色光ハザード対ＣＲＩを示すグラフである。図２３および図３２〜３４Ｂを参照すると、図３２の実施形態は、図２４Ａの実施形態に類似しており、それらの違いは以下のとおりである。この実施形態において、制御ユニット６２０ｃは、光Ｂ６ｃの相関色温度（ＣＣＴ）および青色光ハザードが変化し、光Ｂ６ｃの青色光ハザードが同じＣＣＴで変化するように、第１のサブ光Ｖ１ｃと第２のサブ光Ｖ２ｃとの割合を変化させて光Ｂ６ｃを生成するように構成されている。例えば、同じＣＣＴを意味する垂直線が、図３４Ａにおいて異なる青色光ハザードをそれぞれ有する、光Ｂ６ｃの複数の青色光ハザード対ＣＣＴ座標（すなわち、ダイヤモンド形の点）を通過することができる。この実施形態において、第１のサブ光Ｖ１ｃのＣＣＴは、第２のサブ光Ｖ２ｃのＣＣＴよりも小さく、第１のサブ光および第２のサブ光は白色光である。
【０１１６】
さらに、この実施形態において、光Ｂ６ｃの演色評価値（ＣＲＩ）は、同じの青色光ハザードにおいて可変である。例えば、同じ青色光ハザードを意味する平行線が、図３４Ｂにおいて異なるＣＲＩをそれぞれ有する、光Ｂ６ｃの複数の青色光ハザード対ＣＣＴ座標（すなわち、ダイヤモンド形の点）を通過することができる。したがって、青色光ハザードが使用される場合、ユーザは複数のＣＲＩを選択することができる。
【０１１７】
図３５は、本開示の他の実施形態における光源装置の概略図であり、図３６Ａは、図３５の発光体Ｅ１ｆ、Ｅ２ｆ、およびＥ３ｆから射出された赤色サブ光Ｖ１ｆ、緑色サブ光Ｖ２ｆ、および第１の青色サブ光Ｖ３ｆのスペクトルを示しており、図３６Ｂは、図２５の発光体Ｅ１ｆ、Ｅ２ｆ、およびＥ４ｆから射出された赤色サブ光Ｖ１ｆ、緑色サブ光Ｖ２ｆ、および第２の青色サブ光Ｖ４ｆのスペクトルを示している。図３７Ａは、図３５の発光体Ｅ１ｆ、Ｅ２ｆ、およびＥ３ｆから射出された第１の光ＶＢ１ｆ、ならびに、発光体Ｅ１ｆ、Ｅ２ｆ、およびＥ４ｆから射出された第２の光ＶＢ２ｆの、ＣＡＦ対ｘ色度座標のグラフである。図３７Ｂは、図３５の発光体Ｅ１ｆ、Ｅ２ｆ、およびＥ３ｆから射出された第１の光ＶＢ１ｆ、ならびに、発光体Ｅ１ｆ、Ｅ２ｆ、およびＥ４ｆから射出された第２の光ＶＢ２ｆの、ＣＡＦ対ｙ色度座標のグラフである。図３８Ａは、図３５の発光体Ｅ１ｆ、Ｅ２ｆ、およびＥ３ｆから射出された第１の光ＶＢ１ｆ、ならびに、発光体Ｅ１ｆ、Ｅ２ｆ、およびＥ４ｆから射出された第２の光ＶＢ２ｆの、青色光ハザード対ＣＲＩのグラフである。図３８Ｂは、図３５の発光体Ｅ１ｆ、Ｅ２ｆ、およびＥ３ｆから射出された第１の光ＶＢ１ｆ、ならびに、発光体Ｅ１ｆ、Ｅ２ｆ、およびＥ４ｆから射出された第２の光ＶＢ２ｆの、青色光ハザード対ＣＡＦのグラフである。
【０１１８】
図３５〜３８Ｂを参照すると、図３５における光源装置６００ｆは、図２３の光源装置６００ｃに類似しており、これらの主な違いは以下の通りである。この実施形態では、発光モジュール６１０ｆが光Ｂ６ｆを提供するように構成されている。制御ユニット６２０ｆは、光Ｂ６ｆの青色光ハザードおよび概日作用因子（ＣＡＦ）の少なくとも１つが変化するように、光Ｂ６ｆを第１の光ＶＢ１ｆと第２の光ＶＢ２ｆとの間で切り替えるように構成されている。図３６Ａは、第１の光ＶＢ１ｆのスペクトルを示し、図３６Ｂは、第２の光ＶＢ２ｆのスペクトルを示している。第１の光ＶＢ１ｆのスペクトル（図３６Ａ参照）における青色光メインピークの波長（例えば、図２６Ａにおいて４６０ｎｍ）は、第２の光ＶＢ２ｆのスペクトル（図３６Ｂ参照）における青色光メインピークの波長（例えば、４４７ｎｍ）よりも大きい。
【０１１９】
この実施形態において、第１の光ＶＢ１ｆは、赤色サブ光Ｖ１ｆ、緑色サブ光Ｖ２ｆ、および第１の青色サブ光Ｖ３ｆを含む。第２の光ＶＢ２ｆは、赤色サブ光Ｖ１ｆ、緑色サブ光Ｖ２ｆ、および第２の青色サブ光Ｖ４ｆを含む。第１の青色サブ光Ｖ３ｆのスペクトル（図３６Ａ参照）におけるメインピークの波長（例えば、４６０ｎｍ）は、第２の青色サブ光Ｖ４ｆのスペクトル（図３６Ｂ参照）におけるメインピークの波長（例えば、４４７ｎｍ）よりも大きい。制御ユニット６２０ｆは、第１の光ＶＢ１ｆおよび第２の光ＶＢ２ｆの、青色光ハザード、ＣＡＦ、および演色評価値（ＣＲＩ）の少なくとも１つを変化させるように、赤色サブ光Ｖ１ｆ、緑色サブ光ｖ２ｆ、第１の青色サブ光Ｖ３ｆの割合を変化させ、かつ、赤色サブ光Ｖ１ｆ、緑色サブ光Ｖ２ｆ、および第２の青色サブ光Ｖ４ｆの割合を変化させるように構成されている。
【０１２０】
この実施形態において、発光モジュール６１０ｆは、それぞれが赤色サブ光Ｖ１ｆ、緑色サブ光Ｖ２ｆ、第１の青色サブ光Ｖ３ｆ、および第２の青色サブ光Ｖ４ｆを射出する、複数の発光体Ｅ１ｆ、Ｅ２ｆ、Ｅ３ｆ、およびＥ４ｆを含む。発光体Ｅ１ｆおよびＥ２ｆの各々は、少なくとも１つのエレクトロルミネセンス発光素子、少なくとも１つの光誘起発光素子、少なくとも１つのカラーフィルタまたはそれらの組合せを含むことができる。エレクトロルミネセンス発光素子は、例えば、発光ダイオード（ＬＥＤ）チップまたは有機発光ダイオード（ＯＬＥＤ）であり、光誘起発光素子は、例えば、蛍光体である。光源装置６００ｆは、ディスプレイ、例えば、ＯＬＥＤディスプレイ、液晶ディスプレイ、マイクロＬＥＤディスプレイ、または任意の他の適切なディスプレイであってもよく、発光モジュール６１０ｆは、交互に配置されてディスプレイのサブピクセルを形成する、複数の発光体Ｅ１ｆ、複数の発光体Ｅ２ｆ、複数の発光来Ｅ３ｆ、および複数の発光体Ｅ４ｆを含んでいてもよい。しかしながら、他の実施形態において、光源装置６００ｆは照明ランプであってもよい。
【０１２１】
この実施形態では、図３７Ａおよび図３８Ｂに示されるように、同じｘおよびｙ色度座標ならびに同じ強度における、第１の光ＶＢ１ｆのＣＡＦは、第２の光ＶＢ２ｆのＣＡＦよりも大きい。したがって、ユーザは、ＣＡＦの要件に従って、第１の光ＶＢ１ｆまたは第２の光ＶＢ２ｆを選択することができる。この実施形態において、図３８Ａに示されるように、同じ青色光ハザードにおける、第１の光ＶＢ１ｆのＣＲＩは、第２の光ＶＢ２ｆのＣＲＩよりも大きい。したがって、ユーザは、ＣＲＩの要件に従って、第１の光ＶＢ１ｆまたは第２の光ＶＢ２ｆを選択することができる。さらに、この実施形態では、同じＣＡＦにおける、第１の光ＶＢ１ｆの青色光ハザードは、第２の光ＶＢ２ｆの青色光ハザードよりも小さい。したがって、ユーザは、青色光ハザードの要件に従って、第１の光ＶＢ１ｆまたは第２の光ＶＢ２ｆを選択することができる。
【０１２２】
他の実施形態において、光源装置６００ｆの発光モジュール６１０ｆは、それぞれが赤色サブ光Ｖ１ｆ、緑色サブ光Ｖ２ｆ、および第１の青色サブ光Ｖ３ｆ（すなわち、青色サブ光）を提供する、発光体Ｅ１ｆ、発光来Ｅ２ｆ、および発光体Ｅ３ｆを含むが、発光体Ｅ４ｆを含んでいなくてもよい。また、制御ユニット６２０ｆは、赤色サブ光Ｖ１ｆ、緑色サブ光Ｖ２ｆ、および第１の青色サブ光Ｖ３ｆの割合を変化させて、異なる白色光を生成するように構成されている（すなわち、図３７Ａ、図３７Ｂ、図３８Ａ、および図３８Ｂにおける第１の光ＶＢ１ｆの異なる光学データにそれぞれ対応する）。さらに、この実施形態では、第１の青色サブ光Ｖ３ｆのスペクトルにおけるメインピークの波長は、４６０ナノメータ〜４８０ナノメータの範囲内である。この実施形態における光源装置６００ｆは、高いＣＡＦおよび高いＣＲＩを有する光Ｂ６ｆを提供することができる。
【０１２３】
さらに他の実施形態において、光源装置６００ｆの発光モジュール６１０ｆは、それぞれが赤色サブ光Ｖ１ｆ、緑色サブ光Ｖ２ｆ、および第２の青色サブ光Ｖ４ｆ（すなわち、青色サブ光）を提供する、発光体Ｅ１ｆ、発光来Ｅ２ｆ、および発光体Ｅ４ｆを含むが、発光体Ｅ３ｆを含んでいなくてもよい。また、制御ユニット６２０ｆは、赤色サブ光Ｖ１ｆ、緑色サブ光Ｖ２ｆ、および第２の青色サブ光Ｖ４ｆの割合を変化させて、異なる白色光を生成するように構成されている（すなわち、図３７Ａ、図３７Ｂ、図３８Ａ、および図３８Ｂにおける第２の光ＶＢ２ｆの異なる光学データにそれぞれ対応する）。さらに、この実施形態では、第２の青色サブ光Ｖ４ｆのスペクトルにおけるメインピークの波長は、４４０ナノメータ〜４５０ナノメータの範囲内である。この実施形態における光源装置６００ｆは、低いＣＡＦおよび低いＣＲＩを有する光Ｂ６ｆを提供することができる。
【０１２４】
図３９は、本開示の一実施形態に従うディスプレイ装置の概略図である。図３９を参照すると、この実施形態におけるディスプレイ装置９００は、ディスプレイ８００およびバックライトデバイス７０１を含む。ディスプレイ８００は、液晶ディスプレイパネルまたは任意の他の適切な空間光変調器であってもよい。バックライトデバイス７０１は、前述の光源装置の任意の一つであって、ディスプレイ８００を照らすように構成されていてもよい。
【０１２５】
図４０は、本開示の他の実施形態における光源装置の概略図である。図４１Ａは、図４０の第１の光源のサブ光源により提供されるサブ光および太陽光の、ＣＡＦ対ＣＣＴのグラフである。図４１Ｂは、図４０のサブ光源により射出されたサブ光のスペクトルを示している。図４１Ｃは、図４０のサブ光源における、蛍光体Ｉ、蛍光体ＩＩ、蛍光体ＩＩＩ、および蛍光体ＩＶのスペクトルを示している。図４１Ｄは、図４０のサブ光源におけるピーク波長が４４３ｎｍ、４５８ｎｍ、および４６１ｎｍである青色ＬＥＤチップのスペクトルを示している。図４０〜図４１Ｄを参照すると、この実施形態における光源装置７００は、図２３の光源装置６００ｃに類似しており、これらの主な違いは以下の通りである。この実施形態では、光源装置７００が、第１の光Ｂ６ｇを提供するように構成された第１の光源７１０を含む。この実施形態では、第１の光源７１０が、サブ光源Ｅ１ｇ、サブ光源Ｅ２ｇ、サブ光源Ｅ３ｇ、およびサブ光源Ｅ４ｇを含む。サブ光源Ｅ１ｇは、発光体Ｅ１１ｇと該発光体１１ｇを包む発光体Ｅ１２ｇとを含み、サブ光源Ｅ２ｇは、発光体Ｅ２１ｇと該発光体２１ｇを包む発光体Ｅ２２ｇとを含み、サブ光源Ｅ３ｇは、発光体Ｅ３１ｇと該発光体３１ｇを包む発光体Ｅ３２ｇとを含み、サブ光源Ｅ４ｇは、発光体Ｅ４１ｇと該発光体４１ｇを包む発光体Ｅ４２ｇとを含む。この実施形態において、発光体Ｅ１１ｇは、ピーク波長が４５８ｎｍの青色ＬＥＤチップであり、発光体Ｅ１２ｇは、発光体Ｅ１２ｇの１５重量パーセント（ｗｔ％）を有する樹脂および発光体Ｅ１２ｇの８５ｗｔ％を有する蛍光体Ｅ１２ｇを含み、該蛍光体Ｅ１２ｇは、蛍光体の９５ｗｔ％を有する蛍光体ＩＩＩと蛍光体の５ｗｔ％を有する蛍光体ＩＩを含む。発光体Ｅ２１ｇは、ピーク波長が４６１ｎｍの青色ＬＥＤチップであり、発光体Ｅ２２ｇは、発光体Ｅ２２ｇの１５ｗｔ％を有する樹脂および発光体Ｅ２２ｇの８５ｗｔ％を有する蛍光体Ｅ２２ｇを含み、該蛍光体Ｅ２２ｇは、蛍光体の９０ｗｔ％を有する蛍光体Ｉと蛍光体の１０ｗｔ％を示す蛍光体ＩＶを含む。発光体Ｅ３１ｇは、ピーク波長が４６１ｎｍの青色ＬＥＤチップであり、発光体Ｅ３２ｇは、発光体Ｅ３２ｇの１２ｗｔ％を有する樹脂および発光体Ｅ３２ｇの８８ｗｔ％を有する蛍光体Ｅ３２ｇを含み、該蛍光体Ｅ３２ｇは、蛍光体の９５ｗｔ％を有する蛍光体Ｉと蛍光体の５ｗｔ％を示す蛍光体ＩＶを含む。発光体Ｅ４１ｇは、ピーク波長が４４３ｎｍの青色ＬＥＤチップであり、発光体Ｅ４２ｇは、発光体Ｅ４２ｇの１０ｗｔ％を有する樹脂および発光体Ｅ４２ｇの９０ｗｔ％を有する蛍光体Ｅ４２ｇを含み、該蛍光体Ｅ４２ｇは、蛍光体の９５ｗｔ％を有する蛍光体Ｉと蛍光体の５ｗｔ％を示す蛍光体ＩＶを含む。
【０１２６】
この実施形態では、サブ光源Ｅ１ｇがサブ光Ｖ１ｇを射出し、サブ光源Ｅ２ｇがサブ光Ｖ２ｇを射出し、サブ光源Ｅ３ｇがサブ光Ｖ３ｇを射出し、サブ光源Ｅ４ｇがサブ光Ｖ４ｇを射出する。サブ光Ｖ１ｇ、Ｖ２ｇ、Ｖ３ｇ、およびＶ４ｇは、例えば、白色光である。サブ光Ｖ１ｇ、Ｖ２ｇ、Ｖ３ｇ、およびＶ４ｇが合成されて、第１の光Ｂ６ｇが生成される。
【０１２７】
しかしながら、他の実施形態において、サブ光源Ｅ１ｇ、Ｅ２ｇ、Ｅ３ｇ、またはＥ４ｇは、異なる光色を有する複数のＬＥＤチップを含んでいてもよい。例えば、合成により白色光を生成する、赤色サブ光、緑色サブ光、および青色サブ光を射出するように構成された、赤色ＬＥＤチップ、緑色ＬＥＤチップ、および青色ＬＥＤチップを含むことができる。他の実施形態において、サブ光源Ｅ１ｇ、Ｅ２ｇ、Ｅ３ｇ、またはＥ４ｇは、異なる光色を有する複数のＬＥＤチップと、異なる光色を有して少なくとも１つのＬＥＤチップを包む複数種類の蛍光体を含んでいてもよい。
【０１２８】
この実施形態において、第１の光Ｂ６ｇのＣＲＩは８０超であり、図４１Ａに、サブ光Ｖ１ｇ、Ｖ２ｇ、Ｖ３ｇ、およびＶ４ｇのＣＡＦ対ＣＣＴ座標（ＣＣＴ，ＣＡＦ）が示されている。図４１Ｂには、サブ光Ｖ１ｇ、Ｖ２ｇ、Ｖ３ｇ、およびＶ４ｇのスペクトルが示されている。図４１Ｃには、蛍光体Ｉ、ＩＩ、ＩＩＩおよびＩＶのスペクトルが示されている。図４１Ｄには、ピーク波長がそれぞれ４４３ｎｍ、４５８ｎｍ、および４６１ｎｍである青色ＬＥＤチップのスペクトルが示されている。
【０１２９】
この実施形態において、光源装置７００は、制御装置７２０をさらに含み、該制御装置７２０は、発光体Ｅ１１ｇ、Ｅ２１ｇ、Ｅ３１ｇ、およびＥ４１ｇに電気的に接続されて、サブ光Ｖ１ｇ、Ｖ２ｇ、Ｖ３、およびＶ４ｇの割合を調整するように構成されている。したがって、第１の光Ｂ６ｂのＣＡＦ対ＣＣＴ座標（ＣＣＴ，ＣＡＦ）は、サブ光Ｖ１ｇ、Ｖ２ｇ、Ｖ３ｇ、およびＶ４ｇのＣＡＦ対ＣＣＴ座標（ＣＣＴ，ＡＣＦ）を頂点として定義される領域Ａ１（例えば、多角形領域）内の任意の座標とすることができる。サブ光Ｖ１ｇ、Ｖ２ｇ、Ｖ３ｇ、およびＶ４ｇのＣＡＦ対ＣＣＴ座標（ＣＣＴ，ＣＡＦ）は、例えば、（２７００±１００Ｋ，０．２４）、（２７００±１００Ｋ，０．５３）、（６５００±３００Ｋ，１．０６）、および（６５００±３００Ｋ，０．７８８）である。しかしながら、他の実施形態において、第１の光源７１０は、第１の光Ｂ６ｇとしてサブ光を射出する１つのサブ光源を含んでいてもよく、このサブ光源の蛍光体の組成および青色ＬＥＤチップの種類を調整することによって、第１の光Ｂ６ｇのＣＡＦ対ＣＣＴ座標（ＣＣＴ，ＣＡＦ）を領域Ａ１内の任意の座標とすることができる。また、さらに他の実施形態において、第１の光源７１０は、合成により第１の光Ｂ６ｇを生成するサブ光を射出する、２つのサブ光源、３つのサブ光源、または５つもしくは６つ以上のサブ光源を含んでいてもよく、これらのサブ光源の蛍光体の組成および青色ＬＥＤチップの種類を調整することによって、第１の光Ｂ６ｇのＣＡＦ対ＣＣＴ座標（ＣＣＴ，ＣＡＦ）を領域Ａ１内の任意の座標とすることができる。
【０１３０】
この実施形態において、サブ光Ｖ１ｇ、Ｖ２ｇ、Ｖ３ｇ、およびＶ４ｇのＣＲＩはそれぞれ、例えば、８１、８１、８１、および８４である。サブ光Ｖ１ｇ、Ｖ２ｇ、Ｖ３ｇ、およびＶ４ｇのＣＣＴはそれぞれ、例えば、２６１４Ｋ、２６８９Ｋ、６６９１Ｋ、および６２４５Ｋである。サブ光Ｖ１ｇ、Ｖ２ｇ、Ｖ３ｇ、およびＶ４ｇのＣＡＦはそれぞれ、例えば、０．２４２、０．５３４、１．０６０、および０．７８８である。サブ光Ｖ１ｇ、Ｖ２ｇ、Ｖ３ｇ、およびＶ４ｇのＤｕｖはそれぞれ、例えば、０．０１、−０．０１、−０．００、−０．０１である。
【０１３１】
この実施形態では、光源装置７００が様々な使用要件に応じることができるように、第１の光Ｂ６ｇのＣＡＦ対ＣＣＴ座標を領域Ａ１内の任意の位置とすることができる。
【０１３２】
図４２は、本開示の他の実施形態に従う光源装置における第１の光源のサブ光源により提供されるサブ光および太陽光のＣＡＦ対ＣＣＴのグラフである。図４２を参照すると、この実施形態に従う光源装置は、図４０の光源装置７００と類似しており、これらの主な違いは以下の通りである。この実施形態では、第１の光Ｂ６ｇのＣＲＩが６０超であり、第１の光Ｂ６ｇのＣＡＦ対ＣＣＴ座標（ＣＣＴ，ＣＡＦ）が、図４２に示される４つのＣＡＦ対ＣＣＴ座標（２７００±１００Ｋ，０．６９６）、（２７００±１００Ｋ，０．１９７）、（６５００±３００Ｋ，０．７５９）、（６５００±３００Ｋ，１．２２９）を頂点として形成される領域Ａ２内にある。この実施形態では、第１の光Ｂ６ｇが、図４２に示される４つの頂点のＣＡＦ対ＣＣＴ座標をそれぞれ有する４つのサブ光により形成されている。しかしながら、他の実施形態では、第１の光Ｂ６ｇが、１つのサブ光源、２つのサブ光源、もしくは３つのサブ光源または４つ以上のサブ光源から射出される、１つのサブ光、２つのサブ光、もしくは３つのサブ光または４つ以上のサブ光により形成されていてもよく、また、第１の光Ｂ６ｇのＣＡＦ対ＣＣＴ座標が、サブ光源の蛍光体の組成および青色ＬＥＤチップの種類を調整することによって決定されてもよい。
【０１３３】
図４３は、本開示の他の実施形態に従う光源装置における第１の光源のサブ光源により提供されるサブ光のＣＡＦ対ＣＣＴのグラフである。図４３を参照すると、この実施形態に従う光源装置は、図４０の光源装置７００と類似しており、これらの主な違いは以下の通りである。この実施形態では、第１の光Ｂ６ｇのＣＲＩが６０限定されておらず、第１の光Ｂ６ｇのＣＡＦ対ＣＣＴ座標（ＣＣＴ，ＣＡＦ）が、図４３に示される６つのＣＡＦ対ＣＣＴ座標（２７００±１００Ｋ，０．１９７）、（２７００±１００Ｋ，０．６９６）、（４５００±２００Ｋ，０．４７４）、（４５００±２００Ｋ，１．３４８）、（６５００±３００Ｋ，０．７５９）、（６５００±３００Ｋ，１．６０４）を頂点として形成される領域Ａ３内にある。この実施形態では、第１の光Ｂ６ｇが、図４３に示される６つの頂点のＣＡＦ対ＣＣＴ座標をそれぞれ有する６つのサブ光により形成されている。しかしながら、他の実施形態では、第１の光Ｂ６ｇが、１つのサブ光源、２つのサブ光源、もしくは３つのサブ光源または４つ以上のサブ光源から射出される、１つのサブ光、２つのサブ光、もしくは３つのサブ光または４つ以上のサブ光により形成されていてもよく、また、第１の光Ｂ６ｇのＣＡＦ対ＣＣＴ座標が、サブ光源の蛍光体の組成および青色ＬＥＤチップの種類を調整することによって決定されてもよい。
【０１３４】
図４４は、本開示の他の実施形態に従う光源装置における第１の光源により提供された第１の光の上方境界および下方境界ならびに太陽光のＣＡＦ対ＣＣＴのグラフである。図４４を参照すると、図４４における光源装置は、図４３の実施形態における光源装置に類似しており、これらの違いは以下の通りである。この実施形態では、第１の光Ｂ６ｇのＣＡＦ対ＣＣＴ座標（ＣＣＴ，ＣＡＦ）が、上方境界、下方境界、および上方境界と下方境界の間の座標を有する領域内にある。この実施形態では、図４３の上３つの頂点に二次関数を当てはめることによって上限が決まり、その決定係数Ｒ２は、例えば、１である。例えば、上方境界は、ＣＡＦ＝−５ｅ−０８×（ＣＣＴ）２＋０．０００７×（ＣＣＴ）−０．８４３９の関数である。さらに、図４３の下３つの頂点に二次関数を当てはめることによって下方境界が決まり、その決定係数Ｒ２は、例えば、１である。例えば、下方境界は、ＣＡＦ＝−８ｅ−０９×（ＣＣＴ）２＋０．０００２×（ＣＣＴ）−０．３８０４の関数である。
【０１３５】
図４５は、本開示の他の実施形態に従う光源装置における第１の光源のサブ光源により提供されたサブ光および太陽光のＣＡＦ対ＣＣＴのグラフである。図４５を参照すると、この実施形態に従う光源装置は、図４０の光源装置７００に類似しており、それらの主な違いは以下の通りである。この実施形態では、第１の光Ｂ６ｇのＣＲＩが８０超であり、第１の光Ｂ６ｇのＣＡＦ対ＣＣＴ座標（ＣＣＴ，ＣＡＦ）が、図４５に示される４つのＣＡＦ対ＣＣＴ座標（２７００±１００Ｋ，０．２４２）、（２７００±１００Ｋ，０．５３４）、（４５００±２００Ｋ，０．５８０）、（４５００±２００Ｋ，０．８４１）、（６５００±３００Ｋ，０．７８８）および（６５００±３００Ｋ，１．０６０）を頂点として形成される領域Ａ４内にある。この実施形態では、第１の光Ｂ６ｇが、図４５に示される６つの頂点のＣＡＦ対ＣＣＴ座標をそれぞれ有する６つのサブ光により形成されている。しかしながら、他の実施形態では、第１の光Ｂ６ｇが、１つのサブ光源、２つのサブ光源、もしくは３つのサブ光源または４つ以上のサブ光源から射出される、１つのサブ光、２つのサブ光、もしくは３つのサブ光または４つ以上のサブ光により形成されていてもよく、また、第１の光Ｂ６ｇのＣＡＦ対ＣＣＴ座標が、サブ光源の蛍光体の組成および青色ＬＥＤチップの種類を調整することによって決定されてもよい。
【０１３６】
この実施形態では、同じＣＣＴにおいて、第１の光Ｂ６ｇのＣＡＦは、太陽光のＣＡＦの±０．１５以内である。
【０１３７】
図４６は、本開示の他の実施形態に従う光源装置における第１の光源のサブ光源により提供されたサブ光および太陽光のＣＡＦ対ＣＣＴのグラフである。図４６を参照すると、この実施形態に従う光源装置は、図４５の実施形態に従う光源装置に類似しており、それらの主な違いは以下の通りである。この実施形態では、第１の光Ｂ６ｇのＣＲＩが６０超であり、第１の光Ｂ６ｇのＣＡＦ対ＣＣＴ座標（ＣＣＴ，ＣＡＦ）が、図４６に示される６つのＣＡＦ対ＣＣＴ座標を頂点として形成された領域Ａ５内にある。この実施形態では、第１の光Ｂ６ｇが、図４６に示される６つの頂点におけるＣＡＦ対ＣＣＴ座標のそれぞれを有する６つのサブ光により形成されている。しかしながら、他の実施形態では、第１の光Ｂ６ｇが、１つのサブ光源、２つのサブ光源、もしくは３つのサブ光源または４つ以上のサブ光源から射出される、１つのサブ光、２つのサブ光、もしくは３つのサブ光または４つ以上のサブ光により形成されていてもよく、また、第１の光Ｂ６ｇのＣＡＦ対ＣＣＴ座標が、サブ光源の蛍光体の組成および青色ＬＥＤチップの種類を調整することによって決定されてもよい。
【０１３８】
図２３を再び参照すると、一実施形態において、発光体Ｅ１ｃは、図４０〜図４６の実施形態のいずれか１つにおける第１の光源７１０であってもよく、第１のサブ光Ｖ１ｃは、図４０〜図４６の実施形態のいずれか１つにおける第１の光Ｂ６ｇであってもよく、発光体Ｅ２ｃは、第１の光源であってもよく、第２のサブ光Ｖ２ｃは第２の光であってもよい。第２の光源は、第１の光源７１０に類似しており、第２の光のＣＡＦ対ＣＣＴ座標（ＣＣＴ，ＣＡＦ）は、図４１Ａ、図４２、図４３、図４５、もしくは図４６における領域Ａ１、Ａ２、Ａ３、Ａ４、またはＡ５内、または、図４４における上方境界および下方境界により定義される領域内にあってもよく、これらの違いは、第２の光のＣＡＦ対ＣＣＴ座標（ＣＣＴ，ＣＡＦ）が第１の光Ｂ６ｇと異なる点にある。
【０１３９】
さらに、この実施形態では、制御ユニット６２０ｃが、第１の光Ｂ６ｇ（すなわち、第１のサブ光Ｖ１ｃ）および第２の光（すなわち、第２のサブ光Ｖ２ｃ）を合成して第３の光（すなわち、光Ｂ６ｃ）を出力するように、第１の光源７１０（すなわち、発光体Ｅ１ｃ）および第２の光源（すなわち、発光体Ｅ２ｃ）を制御するように構成されている。
【０１４０】
この実施形態では、図２５Ａに示すように、第１の光Ｂ６ｇ（すなわち、第１のサブ光Ｖ１ｃ）および第２の光（すなわち、第２のサブ光）の一方のＣＡＦ対ＣＣＴ座標（ＣＣＴ，ＣＡＦ）が、太陽光のＣＡＦ対ＣＣＴ軌跡を下回り、また、図２５Ａに示すように、第１の光Ｂ６ｇ（すなわち、第１のサブ光Ｖ１ｃ）および第２の光（すなわち、第２のサブ光）の他方のＣＡＦ対ＣＣＴ座標（ＣＣＴ，ＣＡＦ）が、太陽光のＣＡＦ対ＣＣＴ軌跡を上回る。
【０１４１】
他の実施形態において、第３の光（すなわち、光Ｂ６ｇ）のＣＡＦ対ＣＣＴ座標（ＣＡＦ，ＣＣＴ）は、太陽光のＣＡＦ対ＣＣＴ規制を下回り、例えば、図２５Ａにおける太陽光のＣＡＦ対ＣＣＴ軌跡を下回る丸点または三角点である。他の実施形態において、第３の光（すなわち、光Ｂ６ｃ）のＣＡＦ対ＣＣＴ座標（ＣＣＴ，ＣＡＦ）は、太陽光のＣＡＦ対ＣＣＴ軌跡を上回り、例えば、図２５Ａにおける太陽光のＣＡＦ対ＣＣＴ軌跡を上回る丸点または三角点である。他の実施形態において、第３の光（すなわち、光Ｂ６ｃ）のＣＡＦ対ＣＣＴ座標（ＣＣＴ，ＣＡＦ）は、太陽光のＣＡＦ対ＣＣＴ軌跡上にあり、例えば、図２５Ａにおける太陽光のＣＡＦ対ＣＣＴ軌跡上の丸点または三角点である。
【０１４２】
上述の制御ユニットは、例えば、中央処理装置（ＣＰＵ）、マイクロプロセッサ、デジタル信号プロセッサ（ＤＳＰ）、プログラマブルコントローラ、プログラマブル理論素子（ＰＬＤ）、もしくは他の類似の装置、またはこれらの装置の組合せを含み、これらは本開示によって特に限定されない。さらに、一実施形態において、制御ユニットによって実行される機能の各々は、複数のプログラムコードとして実装されてもよい。これらのプログラムコードは、制御ユニットによって実行されるようにメモリに記憶される。代替的に、一実施形態では、制御ユニットにより実行される機能の各々が、１つまたは複数の回路として実装されていてもよい。本開示は、制御ユニットにより実行される機能の各々が、ソフトウェアまたはハードウェアのいずれに実装されているのかを問わない。
【０１４３】
上述の「概日刺激値」は、ＣＳ／Ｐ値、概日作用因子（ＣＡＦ）、または同等のノメラノピックルクス（ＥＭＬ）であってもよく、ＥＭＬ＝Ｒ×（ＣＡＦ）×（Ｌｕｘ）である。式中、Ｒは定数であって、ＣＳ（λ）およびＰ（λ）の応答強度を考慮したときのＲは、１．２１８であり；Ｌｕｘは、光源装置が照明装置である場合における照度であるが、該光源装置がディスプレイである場合における照度であってもよい。上述の実施形態におけるＣＳ／Ｐ値は、ＣＡＦまたはＥＭＬに置換することができ、上述の実施形態におけるＣＡＦは、ＣＳ／Ｐ値またはＥＭＬに置換することができる。
【０１４４】
要約すると、本開示の実施形態における光源装置は、制御ユニットを用いて、同じ色温度および異なるＣＳ／Ｐ値を有する光を提供するための発光モジュールを制御することができる。発光モジュールは、複数セットの発光ユニットを介して複数セットの色温度を有する光を提供することもでき、同じ色温度の各セットの光は、異なるＣＳ／Ｐ値を有する異なる光の間で切り替えることができる。さらに、本開示の実施形態における光源装置は、制御ユニットを介して発光モジュールを制御することにより、ＣＳ／Ｐ値が５％を超えて異なる光を提供することができ、当該光は、完全に異なる色温度を有することができ、または、該光の一部分が同じ色温度を有することができる。このように、光源装置は、実際の適用環境、時間および目的に従って、異なるＣＳ／Ｐ値を有する光源を選択できるので、十分な光源を提供しつつもユーザの自然な概日リズムを維持することができる。本開示の光源装置は、照明装置またはディスプレイのバックライトデバイスとして機能することができるが、本開示はこれに限定されない。
【０１４５】
また、本開示の実施形態に従う光源装置では、第１の光および第２の光の色温度が実質的に相互に同じであり、第１の光および第２の光のスペクトルが異なっているので、複数の光源装置または発光モジュールが同じ展示スペースに配置されてそれぞれが第１の光および第２の光を射出した場合に、該光源装置または発光モジュールの光色は均一でありつつも、第１の光および第２の光はそれぞれ異なる機能を達成することができる。
【０１４６】
さらに、本開示の実施形態に従う光源装置では、複数種類の第１の光の相関色温度が相互に異なり、該複数種類の第１の光の概日作用因子が実質的に相互に同じであるため、この光源装置は、より多くの用途を有することができる。
【０１４７】
また、本開示の実施形態に従う光源装置では、第１のサブ光と第２のサブ光との割合を変化させることができるため、光のＣＡＦおよびＣＣＴが、太陽光のＣＡＦ対ＣＣＴ軌跡とは異なる、光のＣＡＦ対ＣＣＴ記載に沿って変化する。したがって、この光源装置は、より多くの用途を有することができる。本開示の実施形態に従う光源装置では、光を第１の光および第２の光の間で切り替えることができるため、光の青色光ハザードおよびＣＡＦの少なくとも１つを変化させることができる。したがって、この光源装置は、より多くの用途を有することができる。本開示の実施形態に従う光源装置では、第１のサブ光および第２のサブ光の割合を変化させて、光のＣＣＴおよび青色光ハザードを変化させることができる。同じＣＣＴにおいて、光の青色光ハザードが可変であるため、ユーザは、要件に応じて適切な青色光ハザードを選択することができる。
【０１４８】
さらに、本開示の実施形態に従う光源装置では、第１の光源から射出される第１の光のＣＡＦ対ＣＣＴ座標が、ＣＡＦ対ＣＣＴグラフのある領域内の任意の位置にあってもよいので、この実施形態に従う光源装置は、様々な使用要件に適応することができる。
【０１４９】
当業者であれば、本開示の範囲または精神から逸脱することなく、開示された実施形態の構成に様々な変更および変形を加えることが可能であることが理解されよう。以上より、本開示は、以下の特許請求の範囲およびそれらの等価物の範囲内にある限り、本開示の変更および変形を包含することが意図される。
【産業上の利用可能性】
【０１５０】
本開示の光源装置は、照明分野またはディスプレイ分野において適用可能である。
【符号の説明】
【０１５１】
１００、１００ａ、１００ｂ、１００’、３００、４００、５００、６００、６００ａ、６００ｂ、６００ｃ、６００ｄ、６００ｅ、７００：光源装置
１１０、１１０ａ、１１０ｂ、３１０、４１０、５１０、６１０、６１０ａ、６１０ｂ、６１０ｃ、６１０ｄ、６１０ｆ：発光モジュール
１２０、３２０、４２０、５２０、６２０、６２０ｃ、６２０ｆ、７２０：制御ユニット
１３０：ユーザインタフェース
１４０：接続インタフェース
７０１：バックライトデバイス
７１０：第１の光源
８００：ディスプレイ
９００：ディスプレイ装置
Ａ１、Ａ２、Ａ３、Ａ４、Ａ５：領域
Ｂ、Ｂ３、Ｂ６、Ｂ６ｃ、Ｂ６ｄ、Ｂ６ｅ、Ｂ６ｆ：光
Ｂ６ｇ：第１の光
Ｄ：発光ユニット
Ｄ１、Ｄ１’、Ｄ１１、Ｄ１２、Ｄ１３：第１の発光ユニット
Ｄ２、Ｄ２’：第２の発光ユニット
Ｄ２、Ｄ３’、Ｄ３１、Ｄ３２：第３の発光ユニット
Ｄ４、Ｄ４’：第４の発光ユニット
Ｄ５、Ｄ５’：第５の発光ユニット
Ｄ６’：第６の発光ユニット
Ｄ７’：第７の発光ユニット
Ｄ８’：第８の発光ユニット
ＤＭ：光源駆動モジュール
ＤＲ：データ書き込みシステム
ＤＴ：時間管理データ
Ｅ１、Ｅ１ａ、Ｅ１２ａ、Ｅ１１ａ、Ｅ１ｃ、Ｅ１ｆ、Ｅ２ｃ、Ｅ２、Ｅ２ａ、Ｅ２ｆ、Ｅ３、Ｅ３ａ、Ｅ３ｄ、Ｅ３ｆ、Ｅ４、Ｅ４ａ、Ｅ４ｅ、Ｅ４ｆ、Ｅ５ａ、Ｅ６ａ、Ｅ７ａ、Ｅ１１ｇ、Ｅ１２ｇ、Ｅ２１ｇ、Ｅ２２ｇ、Ｅ３１ｇ、Ｅ３２ｇ、Ｅ４１、Ｅ４１ｇ、Ｅ４２、Ｅ４２ｇ：発光体
Ｅ１ｇ、Ｅ２ｇ、Ｅ３ｇ、Ｅ４ｇ：サブ光源
ｅ１、ｅ２、ｅ３、ｅ４、ｅ５、ｅ６、ｅ７、ｅ８：楕円色温度範囲
Ｌ１、Ｌ１’、Ｌ１３、Ｌ１４、Ｌ１５、ＶＢ１ｆ：第１の光
Ｌ２、Ｌ２’、Ｌ２３、Ｌ２４、Ｌ２５、ＶＢ２ｆ：第２の光
Ｌ３５：第３の光
Ｌ４５：第４の光
Ｌ５５：第５の光
Ｌ６５：第６の光
Ｌ７５：第７の光
Ｌ８５：第８の光
Ｐ１、Ｐ１’、Ｐ１３、Ｐ１４：第１部分
Ｐ２、Ｐ２’、Ｐ２３、Ｐ２４：第２部分
Ｓ１、Ｓ２、Ｓ３、Ｓ４、Ｓ５、Ｓ６、Ｓ７、Ｓ８：色温度範囲
Ｑ１、Ｑ２、Ｑ３、Ｑ４：頂点
ＳＨ１、ＳＬ１：スペクトル曲線
ＳＶ：記憶ユニット
ＵＲ：ユーザ
Ｖ１、Ｖ１ａ、Ｖ１ｇ、Ｖ２ｇ、Ｖ３ｇ、Ｖ４ｇ、Ｖ１１ａ、Ｖ１２ａ、Ｖ２、Ｖ２ａ、Ｖ３、Ｖ３ａ、Ｖ４、Ｖ４ａ、Ｖ４１、Ｖ４２、Ｖ５ａ、Ｖ６ａ、Ｖ７ａ：サブ光
Ｖ１ｃ、Ｗ１、Ｗ１’：第１のサブ光
Ｖ１ｆ：赤色サブ光
Ｖ２ｃ、Ｗ２、Ｗ２’：第２のサブ光
Ｖ２ｆ：緑色サブ光
Ｖ３ｄ、Ｗ３、Ｗ３’：第３のサブ光
Ｖ３ｆ：第１の青色サブ光
Ｖ４ｅ、Ｗ４、Ｗ４’：第１のサブ光
Ｖ４ｆ：第２の青色サブ光
Ｗ５、Ｗ５’：第５のサブ光
Ｗ６’：第６のサブ光
Ｗ７’：第７のサブ光
Ｗ８’：第８のサブ光
【図１】
2019009126.tif 000009
【図２Ａ】
2019009126.tif 000010
【図２Ｂ】
2019009126.tif 000011
【図２Ｃ】
2019009126.tif 000012
【図２Ｄ】
2019009126.tif 000013
【図２Ｅ】
2019009126.tif 000014
【図３】
2019009126.tif 000015
【図４Ａ】
2019009126.tif 000016
【図４Ｂ】
2019009126.tif 000017
【図４Ｃ】
2019009126.tif 000018
【図４Ｄ】
2019009126.tif 000019
【図５Ａ】
2019009126.tif 000020
【図５Ｂ】
2019009126.tif 000021
【図５Ｃ】
2019009126.tif 000022
【図５Ｄ】
2019009126.tif 000023
【図６Ａ】
2019009126.tif 000024
【図６Ｂ】
2019009126.tif 000025
【図６Ｃ】
2019009126.tif 000026
【図６Ｄ】
2019009126.tif 000027
【図６Ｅ】
2019009126.tif 000028
【図６Ｆ】
2019009126.tif 000029
【図６Ｇ】
2019009126.tif 000030
【図６Ｈ】
2019009126.tif 000031
【図６Ｉ】
2019009126.tif 000032
【図６Ｊ】
2019009126.tif 000033
【図７】
2019009126.tif 000034
【図８Ａ】
2019009126.tif 000035
【図８Ｂ】
2019009126.tif 000036
【図９】
2019009126.tif 000037
【図１０】
2019009126.tif 000038
【図１１Ａ】
2019009126.tif 000039
【図１１Ｂ】
2019009126.tif 000040
【図１２】
2019009126.tif 000041
【図１３Ａ】
2019009126.tif 000042
【図１３Ｂ】
2019009126.tif 000043
【図１４】
2019009126.tif 000044
【図１５】
2019009126.tif 000045
【図１６Ａ】
2019009126.tif 000046
【図１６Ｂ】
2019009126.tif 000047
【図１６Ｃ】
2019009126.tif 000048
【図１６Ｄ】
2019009126.tif 000049
【図１７】
2019009126.tif 000050
【図１８Ａ】
2019009126.tif 000051
【図１８Ｂ】
2019009126.tif 000052
【図１８Ｃ】
2019009126.tif 000053
【図１９Ａ】
2019009126.tif 000054
【図１９Ｂ】
2019009126.tif 000055
【図１９Ｃ】
2019009126.tif 000056
【図１９Ｄ】
2019009126.tif 000057
【図２０】
2019009126.tif 000058
【図２１Ａ】
2019009126.tif 000059
【図２１Ｂ】
2019009126.tif 000060
【図２１Ｃ】
2019009126.tif 000061
【図２２Ａ】
2019009126.tif 000062
【図２２Ｂ】
2019009126.tif 000063
【図２３】
2019009126.tif 000064
【図２４Ａ】
2019009126.tif 000065
【図２４Ｂ】
2019009126.tif 000066
【図２４Ｃ】
2019009126.tif 000067
【図２４Ｄ】
2019009126.tif 000068
【図２５Ａ】
2019009126.tif 000069
【図２５Ｂ】
2019009126.tif 000070
【図２６】
2019009126.tif 000071
【図２７Ａ】
2019009126.tif 000072
【図２７Ｂ】
2019009126.tif 000073
【図２８Ａ】
2019009126.tif 000074
【図２８Ｂ】
2019009126.tif 000075
【図２９】
2019009126.tif 000076
【図３０】
2019009126.tif 000077
【図３１】
2019009126.tif 000078
【図３２】
2019009126.tif 000079
【図３３】
2019009126.tif 000080
【図３４Ａ】
2019009126.tif 000081
【図３４Ｂ】
2019009126.tif 000082
【図３５】
2019009126.tif 000083
【図３６Ａ】
2019009126.tif 000084
【図３６Ｂ】
2019009126.tif 000085
【図３７Ａ】
2019009126.tif 000086
【図３７Ｂ】
2019009126.tif 000087
【図３８Ａ】
2019009126.tif 000088
【図３８Ｂ】
2019009126.tif 000089
【図３９】
2019009126.tif 000090
【図４０】
2019009126.tif 000091
【図４１Ａ】
2019009126.tif 000092
【図４１Ｂ】
2019009126.tif 000093
【図４１Ｃ】
2019009126.tif 000094
【図４１Ｄ】
2019009126.tif 000095
【図４２】
2019009126.tif 000096
【図４３】
2019009126.tif 000097
【図４４】
2019009126.tif 000098
【図４５】
2019009126.tif 000099
【図４６】
2019009126.tif 000100
【外国語明細書】
2019009126000001.pdf